(57)【要約】  本発明は、式（Ｉ）（式中、Ｍは、Ｇａ（Ａ１）から選択され、Ａ１は、−ＯＨ、ハロゲン（好ましくはＣｌ）、−ＯＲ３、−ＯＣ（Ｏ）Ｒ４、親水性リガンド、および／または共面相互作用を低減するのに好適なリガンドから選択される軸リガンドであり、Ｒ１およびＲ２は、同一であっても異なっていてもよく、水素またはＣ１〜Ｃ１２アルコキシ（好ましくはＣ１〜Ｃ６アルコキシ）から選択され、Ｒ３は、Ｃ１〜Ｃ１２アルキル、Ｃ５〜Ｃ１２アリール、Ｃ５〜Ｃ１２アリールアルキルまたはＳｉ（Ｒｘ）（Ｒｙ）（Ｒｚ）から選択され、Ｒｘ、ＲｙおよびＲｚは、同一であっても異なっていてもよく、Ｃ１〜Ｃ１２アルキル、Ｃ５〜Ｃ１２アリール、Ｃ５〜Ｃ１２アリールアルキル、Ｃ１〜Ｃ１２アルコキシ、Ｃ５〜Ｃ１２アリールオキシまたはＣ５〜Ｃ１２アリールアルコキシから選択され、Ｗは、親水基であり、ｎ１は、０、１、２または３であり、ｎ２は、０、１、２または３であり、ｎ３は、０、１、２または３であり、ｎ４は、０、１、２または３である（但し、ｎ１、ｎ２、ｎ３またはｎ４の少なくとも１つは０より大きい））のＩＲ吸収ナフタロシアニン染料を提供する。この種の染料は、ネットページおよびＨｙｐｅｒｌａｂｅｌ（商標）システムに特に好適に使用される。2008509257.tif 000017 【選択図】  なし
2008509257.tif 000002
【特許請求の範囲】
【請求項１】
式（Ｉ）のＩＲ吸収ナフタロシアニン染料
【化１】
2008509257.tif 000014
（式中、
Ｍは、Ｇａ（Ａ１）であり、
Ａ１は、−ＯＨ、ハロゲン、−ＯＲ３、−ＯＣ（Ｏ）Ｒ４、親水性リガンド、および／または共面相互作用を低減するのに好適なリガンドから選択される軸リガンドであり、
Ｒ１およびＲ２は、同一であっても異なっていてもよく、水素またはＣ１〜Ｃ１２アルコキシから選択され、
Ｒ３は、Ｃ１〜Ｃ１２アルキル、Ｃ５〜Ｃ１２アリール、Ｃ５〜Ｃ１２アリールアルキルまたはＳｉ（Ｒｘ）（Ｒｙ）（Ｒｚ）から選択され、
Ｒ４は、Ｃ１〜Ｃ１２アルキル、Ｃ５〜Ｃ１２アリールまたはＣ５〜Ｃ１２アリールアルキルから選択され、
Ｒｘ、ＲｙおよびＲｚは、同一であっても異なっていてもよく、Ｃ１〜Ｃ１２アルキル、Ｃ５〜Ｃ１２アリール、Ｃ５〜Ｃ１２アリールアルキル、Ｃ１〜Ｃ１２アルコキシ、Ｃ５〜Ｃ１２アリールオキシまたはＣ５〜Ｃ１２アリールアルコキシから選択され、
Ｗは、親水基であり、
ｎ１は、０、１、２または３であり、
ｎ２は、０、１、２または３であり、
ｎ３は、０、１、２または３であり、
ｎ４は、０、１、２または３である（但し、ｎ１、ｎ２、ｎ３またはｎ４の少なくとも１つは０より大きい））。
【請求項２】
Ｗ基の各々が、酸基（その塩を含む）を含む置換基、アンモニウム基を含む置換基、親水性ポリマー鎖を含む置換基、またはスルホンアミド基を含む置換基から独立に選択される請求項１に記載の染料。
【請求項３】
各Ｗ基は、スルホンアミド基、−ＳＯ３Ｈまたは−ＳＯ３Ｚから独立に選択され、Ｚは、Ｌｉ、Ｎａ、ＫまたはＮ＋（Ｒｍ）（Ｒｎ）（Ｒｓ）（Ｒｔ）であり、Ｒｍ、Ｒｎ、Ｒｓ、Ｒｔは、同一であっても異なっていてもよく、Ｈ、Ｃ１〜Ｃ８アルキル、Ｃ６〜Ｃ１２アリールアルキルまたはＣ６〜Ｃ１２アリールから独立に選択される請求項１に記載の染料。
【請求項４】
スルホンアミド基は、式−ＳＯ２ＮＲｐＲｑを有し、ＲｐおよびＲｑは、Ｈ、Ｃ１〜Ｃ８アルキル、Ｃ６〜Ｃ１２アリールアルキル、Ｃ６〜Ｃ１２アリールまたは−（ＣＨ２ＣＨ２Ｏ）ｅＲｅから独立に選択され、ｅは、２から５０００の整数であり、Ｒｅは、Ｈ、Ｃ１〜Ｃ８アルキルまたはＣ（Ｏ）Ｃ１〜Ｃ８アルキルである請求項３に記載の染料。
【請求項５】
スルホンアミド基は、式−ＳＯ２ＮＨＲｐを有し、Ｒｐは、式（Ｖ）を有する請求項３に記載の染料
【化２】
2008509257.tif 000015
（式中、
Ｒｊは、Ｈ、Ｃ１〜Ｃ１２アルコキシまたは−（ＯＣＨ２ＣＨ２）ｄＯＲｄであり、
ｄは、２から５０００の整数であり、
Ｒｄは、Ｈ、Ｃ１〜Ｃ８アルキルまたはＣ（Ｏ）Ｃ１〜Ｃ８アルキルである）。
【請求項６】
Ｒ１およびＲ２は、ともにＨである請求項１に記載の染料。
【請求項７】
Ｒ１およびＲ２は、ともにＣ１〜Ｃ８アルコキシである請求項１に記載の染料。
【請求項８】
Ｍは、Ｇａ（ＯＨ）、Ｇａ（Ｃｌ）、Ｇａ（ＯＣ（Ｏ）Ｒ４）、Ｇａ（ＯＲ３）またはＧａ（ＯＷ）であり、Ｗは、請求項１〜５のいずれか一項に記載の通りである請求項１に記載の染料。
【請求項９】
Ｍは、Ｇａ（ＯＨ）である請求項１に記載の染料。
【請求項１０】
Ａ１は、式（ＩＩＩａ）のリガンドである請求項８に記載の染料
【化３】
2008509257.tif 000016
（Ｃ１は、２つ以上の分枝位置を有する芯単位を表し、
各Ｐ１は、Ｈ、親水性成分または分枝成分から独立に選択され、
ｇ１は、２から８の整数であり、
ｑ１は、０、または１から６の整数であり、
各ｐ１は、０、または１から６の整数から独立に選択される）。
【請求項１１】
Ｃ１は、Ｃ原子、Ｎ原子、Ｓｉ原子、Ｃ１〜Ｃ８アルキル残基、Ｃ３〜Ｃ８シクロアルキル残基またはフェニル残基である請求項１０に記載の染料。
【請求項１２】
ｇは、２、３または４である請求項１０に記載の染料。
【請求項１３】
Ａ１は、ペンタエリスリトール誘導体、トリエタノールアミン誘導体、フロログルシノール誘導体、または３，５−ジヒドロキシベンジルアルコール誘導体である請求項１０に記載の染料。
【請求項１４】
請求項１に記載の染料を含むインクジェットインク。
【請求項１５】
請求項１に記載の染料および一重項酸素失活剤とを含むインクジェットインク。
【請求項１６】
少なくとも１つのインク溜めに流動連絡するプリントヘッドを備えるインクジェットプリンタであって、前記少なくとも１つのインク溜めは、請求項１４に記載のインクジェットインクを含むインクジェットプリンタ。
【請求項１７】
前記プリントヘッドは、
複数のノズルと、
ノズルの各々にそれぞれ対応し、排出可能な液体を収容するように構成されたバブル成形室と、
バブル成形室の各々にそれぞれ配置されたヒータ素子であって、排出可能な液体の沸点を上回る温度にヒータ素子を加熱すると、排出可能な液体の液滴をノズルから排出させる気泡が形成されるように、排出可能な液体に熱接触するように構成されたヒータ素子とを備え、
ヒータ素子は、使用中に、ヒータ素子の少なくとも一部が排出可能な流体に取り囲まれ、かつ直接接触するようにインク室に懸垂される
請求項１６に記載のインクジェットプリンタ。
【請求項１８】
インクジェットプリンタのインクカートリッジであって、請求項１４に記載のインクジェットインクを含むインクカートリッジ。
【請求項１９】
複数の収容部を定める筐体であって、収容部の少なくとも１つは、人間の目に見える印刷情報のための着色剤を収容し、他の収容部の少なくとも１つは、請求項１４に記載のインクジェットインクを収容する筐体を備えた請求項１８に記載のインクカートリッジ。
【請求項２０】
請求項１に記載の染料が配置された基体。
【請求項２１】
前記染料は、符号化データの形態で配置されている請求項２０に記載の基体。
【請求項２２】
界面を含み、符号化データは、前記界面の実質的な部分に配置されている請求項２１に記載の基体。
【請求項２３】
紙シート、ラベル、タグ、包装材または品目である請求項２０に記載の基体。
【請求項２４】
印刷書式を介してコンピュータシステムにデータを入力することを可能にする方法であって、書式は、人間が読取り可能な情報および機械が読取り可能な符号化データを含み、符号化データは、書式の識別情報および書式の複数の基準点を示す方法であって、
コンピュータシステムにおいて、かつ感知デバイスから、書式の識別情報、および書式に対する感知デバイスの位置に関する指示データを受信するステップであって、感知デバイスは、書式に対する動作位置に配置されると、符号化データの少なくとも一部を使用して指示データを生成するステップと、
コンピュータシステムにおいて、かつ指示データから、書式の少なくとも１つのフィールドを識別するステップと、
コンピュータシステムにおいて、少なくとも１つのフィールドに関する指示データの少なくとも一部を解釈するステップとを含み、
前記符号化データは、請求項１に記載のＩＲ吸収染料を含む方法。
【請求項２５】
少なくとも１つのフィールドは、書式の少なくとも１つのゾーンに対応づけられ、識別するステップは、感知デバイスの位置が少なくとも１つのゾーン内にあることを確認することを含む請求項２４に記載の方法。
【請求項２６】
指示データは、書式に対する感知デバイスの移動に関する移動データを含み、感知デバイスは、符号化データの少なくとも一部を使用して移動データを生成し、識別するステップは、感知デバイスの移動が、少なくとも部分的に少なくとも１つのゾーン内であることを確認することを含む請求項２５に記載の方法。
【請求項２７】
印刷書式を介してコンピュータシステムにデータを入力することを可能にする方法であって、書式は、人間が読取り可能な情報および機械が読取り可能な符号化データを含み、符号化データは、書式の少なくとも１つのフィールドを示す方法であって、
コンピュータシステムにおいて、かつ感知デバイスから、少なくとも１つのフィールドに関するとともに、書式に対する感知デバイスの移動に関する移動データを含む指示データを受信するステップであって、感知デバイスは、符号化データの少なくとも一部を使用して前記少なくとも１つのフィールドに関するデータを生成し、書式に対するデバイスの移動に関するデータを生成するステップと、
コンピュータシステムにおいて、前記少なくとも１つのフィールドに関する前記指示データの少なくとも一部を解釈するステップとを含み、
前記符号化データは、請求項１に記載のＩＲ吸収染料を含む方法。
【請求項２８】
感知デバイスは、符号化データの少なくとも一部を使用して移動データを生成する請求項２７に記載の方法。
【請求項２９】
少なくとも１つのフィールドは、テキストフィールドであり、解釈するステップは、移動データの少なくとも一部をテキストに変換することを含む請求項２５、２６および２７のいずれか一項に記載の方法。
【請求項３０】
少なくとも１つのフィールドは、描画フィールドである請求項２５、２６および２７のいずれか一項に記載の方法。
【請求項３１】
少なくとも１つのフィールドは、チェックボックスフィールドであり、解釈するステップは、移動データの少なくとも一部をチェックマークと解釈することを含む請求項２５、２６および２７のいずれか一項に記載の方法。
【請求項３２】
少なくとも１つのフィールドは、署名フィールドであり、解釈するステップは、移動データの少なくとも一部が、感知デバイスに対応づけられたユーザの署名を表すことを確認することを含む請求項２５、２６および２７のいずれか一項に記載の方法。
【請求項３３】
少なくとも１つのフィールドは、動作フィールドであり、解釈するステップは、動作フィールドに対応づけられたアプリケーションにメッセージを送ることを含む請求項２４または２７に記載の方法。
【請求項３４】
動作フィールドは、書式提出動作フィールドであり、メッセージは、書式の少なくとも１つの他のフィールドから導かれた書式データを含む請求項３３に記載の方法。
【請求項３５】
品目を介してコンピュータシステムにデータを入力することを可能にする方法であって、品目は、人間が読取り可能な情報および機械が読取り可能な符号化データを含む印刷表面を有し、符号化データは、品目の識別情報を示す方法であって、
（ａ）コンピュータシステムにおいて、かつ感知デバイスから、品目の識別情報に関する指示データを受信するステップであって、感知デバイスは、品目に対する動作位置に配置されると、符号化データの少なくとも一部を使用して指示データを生成するステップと、
（ｂ）コンピュータシステムにおいて、かつ指示データを使用して、品目に関する情報を記録するステップとを含み、
前記符号化データは、請求項１に記載のＩＲ吸収染料を含む方法。
【請求項３６】
品目を介してコンピュータシステムからデータを検索することを可能にする方法であって、品目は、人間が読取り可能な情報および機械が読取り可能な符号化データを含む印刷表面を有し、符号化データは、品目の識別情報を示す方法であって、
（ａ）コンピュータシステムにおいて、かつ感知デバイスから、品目の識別情報に関する指示データを受信するステップであって、感知デバイスは、品目に対する動作位置に配置されると、符号化データの少なくとも一部を使用して指示データを生成するステップと、
（ｂ）コンピュータシステムにおいて、かつ指示データを使用して、品目に関する情報を検索するステップと、
（ｃ）コンピュータシステムから出力デバイスに対して、品目に関する情報を出力するステップであって、出力デバイスは、表示デバイスおよび印刷デバイスを含む群から選択されるステップとを含み、
前記符号化データは、請求項１に記載のＩＲ吸収染料を含む方法。
【請求項３７】
符号化データは、複数の符号化データ部から形成され、各符号化データ部は、品目の識別情報を示す請求項３５または３６に記載の方法。
【請求項３８】
符号化データは、品目に対応づけられたＵＰＣおよびＥＰＣの少なくとも一方を示す請求項３５または３６に記載の方法。
【請求項３９】
書式は、品目の表面に配置され、符号化データは品目の識別情報を示す請求項２４または２７に記載の方法。
【請求項４０】
符号化データは、複数の符号化データ部から形成され、各符号化データ部は、品目の識別情報を示す請求項３９に記載の方法。
【請求項４１】
符号化データは、品目に対応づけられたＵＰＣおよびＥＰＣの少なくとも一方を示す請求項３９に記載の方法。
【請求項４２】
符号化データは、人間の裸眼には実質的に不可視である請求項２４、２７、３５または３６のいずれか一項に記載の方法。
【請求項４３】
インクジェットインクへの調合に好適な染料であって、７８０から８５０ｎｍの範囲のλｍａｘ、および少なくとも５年の耐光性を有する染料。
【請求項４４】
少なくとも１０年の耐光性を有する請求項４３に記載の染料。
【請求項４５】
ナフタロシアニン化合物である請求項４３に記載の染料。
【請求項４６】
ガリウムナフタロシアニン化合物である請求項４５に記載の染料。
【発明の詳細な説明】
【発明の詳細な説明】
【０００１】
［発明の分野］
本願は、高収率で合成利用でき、水性インクベースに分散可能である赤外（ＩＲ）染料、特に近赤外染料に関する。それは、インクジェットインクに好適に使用される染料の容易な製造を可能にするために主として開発された。
【０００２】
［関連技術の説明］
ＩＲ吸収染料は、光記録システム、熱記録ディスプレイ、レーザフィルタ、赤外線写真、医療用途および印刷などの多くの用途を有する。典型的には、これらの用途に使用される染料は、半導体レーザの発光波長（例えば約７００ｎｍと２０００ｎｍの間、好ましくは７００ｎｍと１００ｎｍの間）に近赤外の強い吸収を有するのが望ましい。例えば、光記録技術では、ガリウムアルミニウム砒素（ＧａＡｌＡｓ）およびリン化インジウム（ＩｎＰ）ダイオードレーザが光源として広く使用されている。
【０００３】
ＩＲ染料の他の重要な用途は、印刷インクなどのインクである。デジタル情報の印刷形態での記憶および検索は、特に重要である。この技術のよく知られている例は、印刷された走査可能バーコードの使用である。バーコードは、特定の製品に付随するタグまたはラベルに典型的に印刷され、その識別情報および価格等のその製品に関する情報を含む。バーコードは、目に見える黒色インクの複数の直線上で通常印刷され、スキャナからの可視光を使用して検出される。スキャナは、ＬＥＤまたはレーザ（例えば、６３３ｎｍの光を放射するＨｅＮｅレーザ）光源と、反射光を検出するためのフォトセルとを典型的に備える。バーコードインクに好適に使用される黒色染料は、例えば国際公開第０３／０７４６１３号パンフレットに記載されている。
【０００４】
しかし、この技術の他の用途（例えばセキュリティタグ付け）ではバーコード、または裸眼には不可視であるが、ＵＶまたはＩＲ光の下では検出することが可能であるインクで印刷された他の明瞭標示を有することが望ましい。
【０００５】
検出可能な不可視インクの特に重要な用途は、自動識別システム、特に「ネットページ」および「Ｈｙｐｅｒｌａｂｅｌ（商標）」システムである。ネットページシステムは、いずれも参照により本明細書に組み込まれている以下の特許出願に記載されている。
【０００６】
［相互参照］
本発明に関する様々な方法、システムおよび装置は、本出願の出願人または譲受人によって出願された以下の同時係属出願に記載されている。
10/409,876；  10/409,848；  10/409,845；  09/575,197；  09/575,195；
09/575,159；  09/575,132；  09/575,123；  09/575,148；  09/575,130；
09/575,165；  09/575,153；  09/693,415；  09/575,118；  09/609,139；
09/608,970；  09/575,116；  09/575,144；  09/575,139；  09/575,186；
09/575,185；  09/609,039；  09/663,579；  09/663,599；  09/607,852；
09/575,191；  09/693,219；  09/575,145；  09/607,656；  09/693,280；
09/609/132；  09/693,515；  09/663,701；  09/575,192；  09/663,640；
09/609,303；  09/610,095；  09/609,596；  09/693,705；  09/693,647；
09/721,895；  09/721,894；  09/607,843；  09/693,690；  09/607,605；
09/608,178；  09/609,553；  09/609,233；  09/609,149；  09/608,022；
09/575,181；  09/722,174；  09/721,896；  10/291,522；  10/291,517；
10/291,523；  10/291,471；  10/291,470；  10/291,819；  10/291,481；
10/291,509；  10/291,825；  10/291,519；  10/291,575；  10/291,557；
10/291,661；  10/291,558；  10/291,587；  10/291,818；  10/291,576；
10/291,589；  10/291,526；  6,644,545；    6,609,653；  6,651,879；
10/291,555；  10/291,510；  19/291,592；  10/291,542；  10/291,820；
10/291,516；  10/291,363；  10/291,487；  10/291,520；  10/291,521；
10/291,556；  10/291,821；  10/291,525；  10/291,586；  10/291,822；
10/291,524；  10/291,553；  10/291,511；  10/291,585；  10/291,374；
10/685,523；  10/685,583；  10/685,455；  10/685,584；  10/757,600；
09/575,193；  09/575,156；  09/609,232；  09/607,844；  09/607,657；
09/693,593；  10/743,671；  09/928,055；  09/927,684；  09/928,108；
09/927,685；  09/927,809；  09/575,183；  09/575,160；  09/575,150；
09/575,169；  6,644,642；  6,502,614；    6,622,999；  09/575,149；
10/322,450；  6,549,935；  NPN004US；    09/575,187；  09/575,155；
6,591,884；  6,439,706；  09/575,196；  09/575,198；  09/722,148；
09/722,146；  09/721,861；  6,290,349；    6,428,155；  09/575,146；
09/608,920；  09/721,892；  09/722,171；  09/721,858；  09/722,142；
10/171,987；  10/202,021；  10/291,724；  10/291,512；  10/291,554；
10/659,027；  10/659,026；  09/693,301；  09/575,174；  09/575,163；
09/693,216；  09/693,341；  09/693,473；  09/722,087；  09/722,141；
09/722,175；  09/722,147；  09/575,168；  09/722,172；  09/693,514；
09/721,893；  09/722,088；  10/291,578；  10/291,823；  10/291,560；
10/291,366；  10/291,503；  10/291,469；  10/274,817；  09/575,154；
09/575,129；  09/575,124；  09/575,188；  09/721,862；  10/120,441；
10/291,577；  10/291,718；  10/291,719；  10/291,543；  10/291,494；
10/292,608；  10/291,715；  10/291,559；  10/291,660；  10/409,864；
10/309,358；  10/410,484；  10/683,151；  10/683,040；  09/575,189；
09/575,162；  09/575,172；  09/575,170；  09/575,171；  09/575,161；
10/291,716；  10/291,547；  10/291,538；  10/291,717；  10/291,827；
10/291,548；  10/291,714；  10/291,544；  10/291,541；  10/291,584；
10/291,579；  10/291,824；  10/291,713；  10/291,545；  10/291,546；
09/693,388；  09/693,704；  09/693,510；  09/693,336；  09/693,335；
10/181,496；  10/274,119；  10/309,185；  10/309,066；  10/778,090；
10/778,056；  10/778,058；  10/778,060；  10/778,059；  10/778,063；
10/778,062；  10/778,061；  10/778,057；  10/782,894；  10/782,895；
10/786,631；  10/793,933；  10/804,034；  10/815,621；  10/815,612；
10/815,630；  10/815,637；  10/815,637；  10/815,640；  10/815,642；
10/815,643；  10/815,644；  10/815,618；  10/815,639；  10/815,635；
10/815,647；  10/815,634；  10/815,632；  10/815,631；  10/815,648；
10/815,641；  10/815,645；  10/815,646；  10/815,617；  10/815,620；
10/815,615；  10/815,613；  10/815,633；  10/815,619；  10/815,616；
10/815,614；  10/815,636；  10/815,649；  10/815,609；  10/815,627；
10/815,626；  10/815,610；  10/815,611；  10/815,623；  10/815,622；
10/815,629；  10/815,625；  10/815,624；  10/815,628；  10/831,232；
10/831,242；  10/846,895；  6,889,896；  10/853,782；  10/853,379；
【０００７】
これらの同時係属特許／特許出願のすべての開示内容が、参照により本明細書に組み込まれている。いくつかの特許出願は、それらの整理番号によって一時的に識別される。これは、利用可能である場合は対応する出願番号に代えられることになる。
【０００８】
概して、ネットページシステムは、ネットページの製造、およびネットページと人間の対話に依存する。これらは、普通紙に印刷されたテキスト、図形および画像のページであるが、対話式ウェブページのように機能する。人間の裸眼には実質的に不可視であるインクを使用して、情報が各ページ上に符号化される。しかし、インク、そしてそれにより符号化データを、光学撮像ペンで感知し、ネットページシステムに送信することが可能である。
【０００９】
各ページ上の活性ボタンおよびハイパーリンクをペンでクリックして、ネットワークからの情報、またはネットワークサーバへの信号選択を要求することができる。いくつかの形態において、ネットページに手で書いたテキストを自動的に認識し、ネットページシステムでコンピュータテキストに変換して、書式を埋めることができる。他の形態において、ネットページに記録された署名を自動的に検証し、電子商取引を安全に認証させることができる。
【００１０】
ネットページは、その上にネットページネットワークが構築される基礎である。それらは、公開された情報に対する紙ベースのユーザインターフェース、および対話サービスを提供することができる。
【００１１】
ネットページは、ページのオンライン記述を基準として不可視的にタグ付けされた印刷ページ（または他の表面領域）からなる。オンラインページ記述は、ネットページページサーバによって永続的に維持される。ページ記述は、テキスト、図形および画像を含むページの可視的なレイアウトおよび内容を記述する。ボタン、ハイパーリンクおよび入力フィールドを含むページ上の入力要素をも記述する。ネットページは、ネットページペンで表面に作成された標示を同時に取り込み、ネットページシステムで処理することを可能にする。
【００１２】
多数のネットページが、同一のページ記述を共用することが可能である。しかし、さもなければ同一のページを介する入力を区別させるために、各ネットページが固有のページ識別子に割り当てられる。このページＩＤは、非常に多数のネットページを区別するのに十分な精度を有する。
【００１３】
ページ識別子に対する各基準は、印刷タグで符号化される。タグは、それが表示される固有のページを識別することにより、ページ記述を間接的に識別する。タグは、また、ページ上のその位置を識別する。
【００１４】
タグは、普通紙などの赤外線反射性の任意の基体（ｓｕｂｓｔｒａｔｅ）上に赤外線吸収性インクで印刷される。近赤外波長は、人間の目には不可視であるが、適切なフィルタを有する固体画像センサによって容易に感知される。
【００１５】
タグは、ネットページペンにおけるエリア画像センサによって感知され、タグデータは、最も近いネットページプリンタを介してネットページシステムに送信される。ペンは、ワイヤレスであり、短距離無線リンクを介してネットページプリンタと通信する。タグは、一回のクリックでも少なくとも１つのタグをページ上に確実に撮像できるように十分に小さく、かつ密に配置される。対話は無国籍であるため、ペンは、ページとの対話毎にページＩＤおよび位置を認識することが重要である。タグは、誤差補正可能に符号化されて、表面損傷に対して部分的に耐性が与えられる。
【００１６】
ネットページページサーバは、印刷ネットページ毎に固有のページインスタンスを維持して、印刷ネットページ毎に、入力フィールドに対するユーザ供給値の異なる集合体を維持することを可能にする。
【００１７】
Ｈｙｐｅｒｌａｂｅｌ（商標）は、Ｓｉｌｖｅｒｂｒｏｏｋ  Ｒｅｓｅａｒｃｈ  Ｐｔｙ  Ｌｔｄ（オーストラリア）の商標である。概して、Ｈｙｐｅｒｌａｂｅｌ（商標）システムは、不可視の（例えば赤外線）タグスキームを用いて、品目を一意的に識別する。これは、製品のパッケージまたはラベルのグラフィックデザインに影響することなく、製品の全表面またはその大部分をタグ付けすることを可能にするという大きな利点を有する。製品の全表面がタグ付けされる（「全面タグ付けされる」）と、製品の配向によってその走査性が影響されない、すなわち可視バーコードの目視線の欠点の大部分が解消される。また、タグがコンパクトで、大量に（「オムニタグが」）複製される場合は、ラベル損傷により走査が阻止されることがなくなる。
【００１８】
したがって、ハイパーラベリングは、光学的に読取り可能な不可視タグを有する製品の表面の大部分を被覆することからなる。タグが、赤外スペクトルにおける反射または吸収を利用するときは、赤外識別（ＩＲＩＤ）タグと呼ばれる。各Ｈｙｐｅｒｌａｂｅｌ（商標）は、それが表示される製品を一意的に識別する。タグは、品目の製品コードを直接符号化するか、または次に検出可能検索を介して製品コードを識別する代理ＩＤを符号化することができる。各タグは、また、品目の表面のその位置を場合によって識別して、ネットページ対話の下流消費者利益をもたらす。
【００１９】
Ｈｙｐｅｒｌａｂｅｌｓ（商標）は、デジタルプリンタ、好ましくはインクジェットプリンタを使用して、製品製造および／または梱包時に適用される。これらは、テキストおよび図形が他の手段で印刷された後にタグを印刷するアドオン赤外プリンタであってもよいし、標識、テキストおよび図形を同時に印刷する統合カラーおよび赤外プリンタであってもよい。
【００２０】
適切な近赤外周波数を有する光源を使用すること以外はバーコードと同様の技術を用いて、Ｈｙｐｅｒｌａｂｅｌｓ（商標）を検出することが可能である。光源は、レーザ（例えば、８３０ｎｍの光を放射するＧａＡｌＡｓレーザ）であってもよいし、ＬＥＤであってもよい。
【００２１】
以上から、可視ＩＲ検出可能インクは、ネットページおよびＨｙｐｅｒｌａｂｅｌ（商標）システムの重要な成分であることが容易に理解される。ＩＲ吸収インクが、これらのシステムで良好に機能するためには、理想的にはいくつかの基準を満たす必要がある。
（ｉ）インクジェットプリンタとの適合性
（ｉｉ）インクジェットインクに使用される水性溶媒とのＩＲ染料の相溶性
（ｉｉｉ）近赤外領域における強い吸収（例えば７００から１０００ｎｍ）
（ｉｖ）可視吸収がない、または低い
（ｖ）耐光性
（ｖｉ）熱安定性
（ｖｉｉ）毒性がない、または低い
（ｖｉｉｉ）製造コストが低い
（ｉｘ）紙および他の媒体に対する接着性が良好
（ｘ）印刷時のインクの裏抜けがない、またはにじみが最小限に抑えられる
【００２２】
したがって、上記基準の少なくとも一部および好ましくは全部を満たすＩＲ染料およびインク組成物を開発することが望まれる。ネットページおよびＨｙｐｅｒｌａｂｅｌ（商標）システムを完成するために、当該インクが望まれる。
【００２３】
いくつかのＩＲ染料は、Ｅｐｏｌｉｎ  Ｐｒｏｄｕｃｔｓ、Ａｖｅｃｉａ  ＩｎｋｓおよびＨ．Ｗ．Ｓａｎｄｓ  Ｃｏｒｐ．などの様々な供給源から市販されている。
【００２４】
加えて、先行技術には、様々なＩＲ染料が記載されている。例えば、米国特許第５，４６０，６４６号には、着色剤、媒体および溶媒を含み、着色剤はシリコン（ＩＶ）２，３−ナフタロシアニンビストリアルキルシリルオキシドである赤外印刷インクが記載されている。
【００２５】
米国特許第５，２８２，８９４号には、金属を含有しないフタロシアニン、複合フタロシアニン、金属を含有しないナフタロシアニン、複合ナフタロシアニン、ニッケルジチオレン、アミニウム化合物、メチン化合物またはアズレンスクアリン酸を含む溶媒系印刷インクが記載されている。
【００２６】
しかし、先行技術の染料は、いずれもネットページまたはＨｙｐｅｒｌａｂｅｌ（商標）システムに好適に使用される組成物に調合できない。特に、市販および／または先行技術のインクには、近赤外センサにより検出に適さない波長での吸収、水性溶媒系に対する溶解性または分散性が低いこと、またはスペクトルの可視部分における吸収が許容できないほど高いことのいずれかの問題がある。
【００２７】
典型的なネットページでは、１ページのハイパーリンクの数が多く、それに応じてＩＲインクで印刷されるページ部分が比較的多くなりうる。Ｈｙｐｅｒｌａｂｅｌ（商標）システムでは、製品のパッケージの大部分を不可視インクで印刷できる。したがって、使用されるインクは、裸眼で見えず、残留色が最小限であることが特に望ましい。
【００２８】
さらに、インクジェット印刷は、ネットページおよびＨｙｐｅｒｌａｂｅｌ（商標）を生成するのに好ましい手段である。インクジェット印刷は、主として高速および低コストであるため好ましい。インクジェットインクは、低コスト、低毒性および低引火性という理由から、典型的には水系である。熱バブルジェットプリンタでは、インクは、印刷処理時に急速に蒸発する必要がある。印刷処理時のインクのこの急速な蒸発には、水系インク組成物が必要である。よって、ネットページおよびＨｙｐｅｒｌａｂｅｌ（商標）インクに使用されるＩＲ染料は、水性インク組成物への調合に好適であり、インクジェットプリンタに適合する。
【００２９】
ネットページシステムに使用されるＩＲ染料のさらなる基本的要件は、ネットページペンにおけるＩＲセンサの周波数に相補的な周波数でＩＲ放射線を吸収すべきことである。好ましくは、インクは、ＩＲセンサの周波数で強く吸収する染料を含むのがよい。よって、ネットページシステムに使用される染料は、近赤外領域、すなわち７００から１０００ｎｍ、好ましくは７５０から９００ｎｍ、より好ましくは７８０から８５０ｎｍで強く吸収するのがよい。
【００３０】
ネットページおよびＨｙｐｅｒｌａｂｅｌ（商標）の普及が予想されるなかで、工業規模で高収率に製造することが可能であり、満足できる光安定性を有する低コストのＩＲ染料を開発することが特に望まれることになる。
【００３１】
［発明の概要］
第１の態様において、本発明は、式（Ｉ）のＩＲ吸収ナフタロシアニン染料を提供する。
【００３２】
【化１】
2008509257.tif 000003
【００３３】
式中、
Ｍは、Ｇａ（Ａ１）から選択され、
Ａ１は、−ＯＨ、ハロゲン（好ましくはＣｌ）、−ＯＲ３、−ＯＣ（Ｏ）Ｒ４、親水性リガンド、および／または共面相互作用を低減するのに好適なリガンドから選択される軸配位子であり、
Ｒ１およびＲ２は、同一であっても異なっていてもよく、水素またはＣ１〜Ｃ１２アルコキシ（好ましくはＣ１〜Ｃ６アルコキシ）から選択され、
Ｒ３は、Ｃ１〜Ｃ１２アルキル、Ｃ５〜Ｃ１２アリール、Ｃ５〜Ｃ１２アリールアルキルまたはＳｉ（Ｒｘ）（Ｒｙ）（Ｒｚ）から選択され、
Ｒ４は、Ｃ１〜Ｃ１２アルキル、Ｃ５〜Ｃ１２アリールまたはＣ５〜Ｃ１２アリールアルキルから選択され、
Ｒｘ、ＲｙおよびＲｚは、同一であっても異なっていてもよく、Ｃ１〜Ｃ１２アルキル、Ｃ５〜Ｃ１２アリール、Ｃ５〜Ｃ１２アリールアルキル、Ｃ１〜Ｃ１２アルコキシ、Ｃ５〜Ｃ１２アリールオキシまたはＣ５〜Ｃ１２アリールアルコキシから選択され、
Ｗは、親水基であり、
ｎ１は、０、１、２または３であり、
ｎ２は、０、１、２または３であり、
ｎ３は、０、１、２または３であり、
ｎ４は、０、１、２または３である（但し、ｎ１、ｎ２、ｎ３またはｎ４の少なくとも１つは０より大きい）。
【００３４】
第２の態様において、本発明は、上述の染料を含むインクジェットインクを提供する。
【００３５】
第３の態様において、本発明は、少なくとも１つのインク溜めと流動連絡するプリントヘッドを含むインクジェットプリンタであって、前記少なくとも１つのインク溜めは、上述のインクジェットインクを含むインクジェットプリンタを提供する。
【００３６】
第４の形態において、本発明は、インクジェットプリンタのインクカートリッジであって、上述のインクジェットインクを含むインクカートリッジを提供する。
【００３７】
第５の実施形態において、本発明は、上述の染料が配置された基体を提供する。
【００３８】
第６の態様において、印刷書式を介してコンピュータシステムにデータを入力することを可能にする方法であって、書式は、人間が読取り可能な情報および機械が読取り可能な符号化データを含み、符号化データは、書式の識別情報および書式の複数の基準点を示す方法であって、
コンピュータシステムにおいて、かつ感知デバイスから、書式の識別情報、および書式に対する感知デバイスの位置に関する指示データを受信するステップであって、感知デバイスは、書式に対する動作位置に配置されると、符号化データの少なくとも一部を使用して指示データを生成するステップと、
コンピュータシステムにおいて、かつ指示データから、書式の少なくとも１つのフィールドを識別するステップと、
コンピュータシステムにおいて、少なくとも１つのフィールドに関する指示データの少なくとも一部を解釈するステップとを含み、
前記符号化データは、上記のＩＲ吸収染料を含む方法が提供される。
【００３９】
第７の態様において、印刷書式を介してコンピュータシステムにデータを入力することを可能にする方法であって、書式は、人間が読取り可能な情報および機械が読取り可能な符号化データを含み、符号化データは、書式の少なくとも１つのフィールドを示す方法であって、
コンピュータシステムにおいて、かつ感知デバイスから、少なくとも１つのフィールドに関するとともに、書式に対する感知デバイスの移動に関する移動データを含む指示データを受信するステップであって、感知デバイスは、符号化データの少なくとも一部を使用して前記少なくとも１つのフィールドに関するデータを生成し、書式に対するデバイスの移動に関するデータを生成するステップと、
コンピュータシステムにおいて、前記少なくとも１つのフィールドに関する前記指示データの少なくとも一部を解釈するステップとを含み、
前記符号化データは、上記のＩＲ吸収染料を含む方法が提供される。
【００４０】
第８の態様において、品目を介してコンピュータシステムにデータを入力することを可能にする方法であって、品目は、人間が読取り可能な情報および機械が読取り可能な符号化データを含む印刷表面を有し、符号化データは、品目の識別情報を示す方法であって、
（ａ）コンピュータシステムにおいて、かつ感知デバイスから、品目の識別情報に関する指示データを受信するステップであって、感知デバイスは、品目に対する動作位置に配置されると、符号化データの少なくとも一部を使用して指示データを生成するステップと、
（ｂ）コンピュータシステムにおいて、かつ指示データを使用して、品目に関する情報を記録するステップとを含み、
前記符号化データは、上記のＩＲ吸収染料を含む方法が提供される。
【００４１】
第９の態様において、品目を介してコンピュータシステムからデータを検索することを可能にする方法であって、品目は、人間が読取り可能な情報および機械が読取り可能な符号化データを含む印刷表面を有し、符号化データは、品目の識別情報を示す方法であって、
（ａ）コンピュータシステムにおいて、かつ感知デバイスから、品目の識別情報に関する指示データを受信するステップであって、感知デバイスは、品目に対する動作位置に配置されると、符号化データの少なくとも一部を使用して指示データを生成するステップと、
（ｂ）コンピュータシステムにおいて、かつ指示データを使用して、品目に関する情報を検索するステップと、
（ｃ）コンピュータシステムから出力デバイスに対して、品目に関する情報を出力するステップであって、出力デバイスは、表示デバイスおよび印刷デバイスを含む群から選択されるステップとを含み、
前記符号化データは、上記のＩＲ吸収染料を含む方法が提供される。
【００４２】
［詳細な説明］
（ＩＲ吸収染料）
本明細書に用いられているように、「ＩＲ吸収染料」という用語は、赤外放射線を吸収し、そのため赤外センサによる検出に好適である染料基体を意味する。好ましくは、ＩＲ吸収染料は、近赤外領域で吸収し、好ましくは７００から１０００ｎｍ、より好ましくは７５０から９００ｎｍ、より好ましくは７８０から８５０ｎｍの範囲のλｍａｘを有する。この範囲のλｍａｘを有する染料は、ガリウムアルミニウム砒素ダイオードレーザなどの半導体レーザによる検出に特に好適である。
【００４３】
本発明による染料は、ＩＲ（好ましくは近赤外）領域で吸収する、水性インクジェットインクへの調合に好適である、かつ製造が容易であるという有利な特徴を有する。さらに、近赤外領域におけるそれらの高い吸光係数は、それらの染料が、近赤外検出器（例えばネットページペン）による検出に好適な濃度で「不可視」であることを意味する。よって、本発明の染料は、ネットページおよびＨｙｐｅｒｌａｂｅｌ（商標）用途に特に好適である。従来技術で知られている染料は、特性のこのような独自の組合せを有していない。
【００４４】
一般には、本発明によるナフタロシアニン染料は、４つの２，３−ジシアノナフタレン（１）分子の縦続結合を介して合成されるが、対応するイミジン（２）から調製されてもよい。
【００４５】
【化２】
2008509257.tif 000004
【００４６】
縦続塩基に触媒される大環形成を金属鋳型によって促進してもよいし、金属の不在下で進行させてもよい。大環形成を鋳型金属の不在下で行う場合は、得られた無金属ナフタロシアニンに金属を容易に挿入することができる。
【００４７】
Ｗで表される親水基は、求電子性芳香族置換反応を介する大環形成の後に染料分子に通常単位導入される。芳香族置換は、完全対称的に行われないため、大環状における各ナフタレン単位は、Ｗで表される異なる数の親水基を含むことができる。
【００４８】
親水基Ｗは、水分散性または水溶性を染料分子に付与する。本発明の染料分子は、インクジェットインク組成物、好ましくは水性インクジェットインク組成物に使用するためのものである。したがって、親水基Ｗを与えると、本発明の染料分子を水性インクジェットインク組成物に分散させることが可能になる。添字（例えば「ｎ１」）は、各ナフタレン環に存在するＷ基の数を示す。例えば、ｎ１＝２である場合は、２つの親水性Ｗ基が第１のナフタレン単位に存在する。添字ｎ１、ｎ２、ｎ３およびｎ４は、同一であっても異なっていてもよい。好ましくは、ｎ１＋ｎ２＋ｎ３＋ｎ４（＝ｎ）は、２と４の間である。好ましくは、ｎ１＝１、ｎ２＝１、ｎ３＝１およびｎ４＝１である。
【００４９】
好ましくは、親水基Ｗは、親水性ポリマー鎖を含む置換基、アンモニウム基を含む置換基、その塩を含む酸基を含む置換基、またはスルホンアミド基を含む置換基から選択される。
【００５０】
親水性ポリマー鎖の例は、エチレングリコールの２から５０００の繰返し単位を含んでいてもよいＰＥＧ鎖である。他の親水性ポリマー鎖は、当業者に容易に理解されるであろう。好ましくは、親水性ポリマー鎖は、式−（ＯＣＨ２ＣＨ２）ｂＯＲｂ（式中、ｂは、２から５０００の整数であり、ＲｂはＨ、Ｃ１〜Ｃ８アルキルまたはＣ（Ｏ）Ｃ１〜Ｃ８アルキルである）で表される。
【００５１】
アンモニウム基は、一般式−Ｎ＋（Ｒａ）（Ｒｂ）（Ｒｃ）または−Ｕ（式中、Ｒａ、Ｒｂ、Ｒｃは、同一であっても異なっていてもよく、Ｈ、Ｃ１〜Ｃ８アルキル（例えば、メチル、エチル、シクロヘキシル、シクロペンチル、ｔｅｒｔブチル、イソプロピル等）、Ｃ６〜Ｃ１２アリールアルキル（例えば、ベンジル、フェニルエチル等）またはＣ６〜Ｃ１２アリール（例えば、フェニル、ナフチル等）から独立に選択され、Ｕは、ピリジニウム、イミダゾリニウムまたはピロリニウムである）の基を含む置換基として存在していてもよい。
【００５２】
酸基は、式−ＣＯ２Ｚ、−ＳＯ３Ｚ、−ＯＳＯ３Ｚ、−ＰＯ３Ｚ２または−ＯＰＯ３Ｚ２（式中、Ｚは、Ｈまたは水溶性陽イオンである）の基を含む置換基として存在していてもよい。好ましくは、Ｚは、Ｌｉ＋、Ｎａ＋、Ｋ＋、またはＮ＋（Ｒｍ）（Ｒｎ）（Ｒｓ）（Ｒｔ）（式中、Ｒｍ、Ｒｎ、Ｒｓ、Ｒｔは同一であっても異なっていてもよく、Ｈ、Ｃ１〜Ｃ８アルキル（例えばメチル、エチル、シクロヘキシル、シクロペンチル、ｔｅｒｔブチル、イソプロピル等）、Ｃ６〜Ｃ１２アリールアルキル（例えば、ベンジル、フェニレン等）またはＣ６〜Ｃ１２アリール（例えばフェニル、ナフチル等）から独立に選択される）などのアンモニウム陽イオンから選択される。上述したような酸基を導入する方法は、当業者によく知られている。例えば、スルホン酸基（−ＳＯ３Ｈ）を、例えばオレウムまたはクロロスルホン酸を使用したスルホン化によってナフタレン環に直接導入することができる。酸基のその塩形態への変換を、例えば金属水酸化物（例えばＬｉＯＨ、ＮａＯＨまたはＫＯＨ）または金属重炭酸塩（例えばＮａＨＣＯ３）を使用して実施することが可能である。例えば水酸化アンモニウム（例えばＢｕ４ＮＯＨ、ＮＨ４ＯＨ等）を使用して、非金属塩を調製することもできる。
【００５３】
スルホンアミド基は、一般式−ＳＯ２ＮＲｐＲｑ（式中、ＲｐおよびＲｑは、Ｈ、Ｃ１〜Ｃ８アルキル（例えば、メチル、エチル、シクロヘキシル、シクロペンチル、ｔｅｒｔブチル、イソプロピル等）、−（ＣＨ２ＣＨ２Ｏ）ｅＲｅ（ｅは、２から５０００の整数であり、Ｒｅは、Ｈ、Ｃ１〜Ｃ８アルキルまたはＣ（Ｏ）Ｃ１〜Ｃ８アルキル）、Ｃ６〜Ｃ１２アリールアルキル（例えば、ベンジル、フェニルエチル等）またはＣ６〜Ｃ１２アリール（例えば、フェニル、メトキシフェニル等）から独立に選択される）を有していてもよい。スルホンアミドは、対応するスルホン酸から容易に調製されうる。さらに、スルホン酸／塩とスルホンアミドの混合物も本発明の範囲内にあると考えられる。例えば、各染料分子は、１、２、３または４つのスルホンアミド基と、１、２、３または４つのスルホン酸アンモニウム塩とを含むことができ、Ｗ基の総数は４つになる。
【００５４】
親水基Ｗは、一般式−ＳＯ２ＮＨＲｐ（式中、Ｒｐは、式（Ｖ）で表され、
【００５５】
【化３】
2008509257.tif 000005
【００５６】
式中、
Ｒｊは、Ｈ、Ｃ１〜Ｃ１２アルコキシ、−（ＯＣＨ２ＣＨ２）ｄＯＲｄから選択され、
ｄは、２から５０００の整数であり、
Ｒｄは、Ｈ、Ｃ１〜Ｃ８アルキルまたはＣ（Ｏ）Ｃ１〜Ｃ８アルキルである）のスルホンアミド基であってもよい。
Ｒｊは、オルト、メタまたはパラ位置であってもよいが、通常はパラ位置にある。
【００５７】
Ｒ１およびＲ２で表される基を、染料のλｍａｘの波長を変更または「調整」するのに使用できる。オルト位置における電子供与置換基（例えばアルコキシ）は、染料にレッドシフトを生成することが可能である。本発明の１つの好ましい実施形態において、Ｒ１およびＲ２は、ともにＣ１〜Ｃ８アルコキシ基、好ましくはブトキシである。ブトキシ置換基は、有利には、市販のレーザによる検出にとって好ましい近赤外のより長い波長の方へλｍａｘをシフトさせる。他の好ましい実施形態において、Ｒ１およびＲ２は、ともに、必要なナフタロシアニンの能率的な合成を確保する水素である。
【００５８】
中央の金属原子Ｍは、驚いたことに、本発明の化合物の光安定性に有意な影響を及ぼすことが確認された。以前は、有機ナフタロシアニン発色基の性質が、当該化合物の分解速度に関与しているものと考えられていた。しかし、一定の金属ナフタロシアニンは、他の金属と比較して、非常に高い光安定性を示すことがここで確認された。具体的には、ガリウムおよび銅ナフタロシアニンは、非常に良好な光安定性を発揮し、これらの化合物は、ＩＲ染料が室内照明または太陽光線に１年間以上にわたって露光されうるネットページおよびＨｙｐｅｒｌａｂｅｌ（商標）アプリケーションに極めて好適なものであることが証明された。ガリウム化合物は、銅と比較して、よりレッドシフトしたλｍａｘを有するために好ましい。よりレッドシフトしたλｍａｘは、着色シアン染料が、ＩＲ染料のネットページペンに対する応答に干渉する確率がより低いため好ましい。
【００５９】
軸方向の立体的嵩を染料分子に付加することによって、隣り合う染料分子間の共面相互作用を低減するようにＡ１を選択することができる。
【００６０】
好ましくは、軸配位子は、存在する場合は、染料分子のπ面を効果的に「保護」または「ブロック」するように配座を採用する（または構成される）。π系状に「傘」を形成し、隣り合う染料分子間の共面相互作用を低減することが可能である軸配位子は、本発明に特に好適に使用される。
【００６１】
先行技術のＩＲ吸収染料化合物は、少なくともある程度は、スペクトルの可視領域で吸収することが本発明者等によって認識された。実際、先行技術において知られているＩＲ吸収染料化合物の大多数は黒色である。この可視吸収は、「不可視」ＩＲインク、特にネットページまたはＨｙｐｅｒｌａｂｅｌ（商標）システムに使用されるＩＲインクにおいては明らかに望ましくない。
【００６２】
ＩＲ吸収染料化合物、特にＩＲ吸収金属−リガンド錯体のＩＲスペクトルにおける可視帯域の存在は、主に隣り合う分子間の共面相互作用によるものである。
【００６３】
典型的には、ＩＲ吸収化合物は、分子の少なくとも一部に実質的に平面の部分（ｍｏｉｅｔｙ）を形成するπ系を含む。隣り合う分子における平面のπ系は、π−π堆積として知られる共面π相互作用を介して積み重なる自然の傾向がある。したがって、ＩＲ吸収化合物は、共面π相互作用を介して集合し、比較的弱く結合した二量体および三量体等を生成する自然の傾向を有する。理論に束縛されることを望むのではなく、本発明者等は、ＩＲ吸収化合物は、さもなければ対応する単量体化合物に存在しない、それらのＩＲスペクトルにおける可視吸収帯域の生成に大きく貢献しているものと理解する。この可視吸収は、π系が積み重なり、π軌道が相互作用して、それぞれのエネルギー順位に小さな変化をもたらす場合のＩＲ吸収帯域の広がりによるものと理解される。ＩＲ吸収帯域の広がりは、２つの点で望ましくない。第１に、ＩＲ領域における吸収の強度を低減し、第２に、ＩＲ吸収帯域は、可視領域の末端について、強く着色した化合物を生成する傾向がある。
【００６４】
また、π−π相互作用を介する着色二量体および三量体等の形成は、固体および溶液の双方に生じる。しかし、拡大されたπ堆積オリゴマーの形成を阻害する溶媒分子が存在しない固体では特に問題である。許容される溶液特性を有するＩＲ染料は、紙に印刷された場合に強く着色した固体にとどまることができる。理想的な「不可視」ＩＲ染料は、溶媒が蒸発または紙に吸い込まれた場合に不可視となる。
【００６５】
また、局所的電荷、またはイオンなどの部分帯電原子によるπ軌道の相互作用は大きく、これによって可視領域にさらなる吸収が導入されうる。
【００６６】
相互作用を低減するのに好適な部分の具体例については、以下により詳細に記載されている。デンドリマーは、ポリマー鎖などの複数の分枝鎖を有するため、例えば、最大限の立体反発を作用させるのに有用である。しかし、隣り合う染料分子の共面π−π相互作用二重分に干渉することができる任意の部分または基は、可視吸収を最小限にするのに好適であるため、本発明に好適に使用されることを上記から理解されるであろう。
【００６７】
一般に、隣り合う分子のπ系間の平均距離が、約３．５Å、より好ましくは約４Å、より好ましくは約４．５Å、より好ましくは５Åを上回るように、染料分子を構成するのが好ましい。隣り合う分子のπ系間のこの好ましい距離は、理論的計算に基づく。本発明者等による理論的研究から、π−π相互作用は、３．５Å以下の距離で大きくなることが理解される。
【００６８】
代替的に（または追加的に）、さらなる親水性を染料分子に付与して、その水分散性を向上させるようにＡ１を選択することができる。したがって、Ａ１は、上記にＷとして定めた基のいずれか１つのような親水基を含んでいてもよい。
【００６９】
軸方向の立体的な嵩を導入する、および／または親水性を向上させるために、Ａ１は、デンドリマーであってもよい。１つの好ましい形態においてＡ１は、式（ＩＩＩａ）のリガンドである。
【００７０】
【化４】
2008509257.tif 000006
【００７１】
式中、
Ｃ１は、２つ以上の分枝位置を有する芯単位を示し、
各Ｐ１は、Ｈ、親水部分または分枝部分から独立に選択され、
ｇ１は、２から８の整数であり、
ｑ１は、０または１から６の整数であり、
各ｐ１は、０または１から６の整数から独立に選択される。
【００７２】
好ましくは、芯単位Ｃ１は、Ｃ原子、Ｎ原子、Ｓｉ原子、Ｃ１〜Ｃ８アルキル残基、Ｃ３〜Ｃ８シクロアルキル残基、またはフェニル残基から選択される。芯単位Ｃ１は、少なくとも２つの分枝位置を有し、分枝位置の数はｇ１の値に対応する。したがって、３つの分枝位置および１つの炭素原子芯（すなわちｇ１＝３；Ｃ１＝Ｃ原子）を有する軸配位子は、例えば、式（Ａ）のペンタエリスリトール誘導体であってもよい。
【００７３】
【化５】
2008509257.tif 000007
【００７４】
式（ＩＩＩａ）における各Ｐ１基は、同一であっても異なっていてもよい。例えば、（３つの分枝位置を有する）ペンタエリスリトール誘導体において、末端ヒドロキシル基（−ＣＨ２ＯＨ；Ｐ１＝Ｈ）を担持する２つの腕と、硫酸基（−ＣＨ２ＯＳＯ３Ｚ；Ｐ１＝ＳＯ３Ｚ）を担持する１つの腕とが存在していてもよい。
【００７５】
好ましくは、Ｐ１は、親水部分である。親水部分は、酸基（その塩を含む）、スルホンアミド基、親水性ポリマー鎖またはアンモニウム基であってもよい。
【００７６】
よって、Ｐ１は、ＰＥＧ鎖などの親水性ポリマー鎖を含んでいてもよい。したがって、いくつかの実施形態において、Ｐ１は式：（ＣＨ２ＣＨ２Ｏ）ｖＲ６（式中、ｖは２から５０００（好ましくは２から１０００、好ましくは２から１００）であり、Ｒ６は、Ｈ、Ｃ１〜Ｃ６アルキルまたはＣ（Ｏ）Ｃ１〜Ｃ８アルキルである）であってよい。
【００７７】
あるいは、Ｐ１は、スルホン酸、硫酸塩、リン酸、リン酸塩、カルボン酸およびカルボン酸塩等の酸基（その塩を含む）を含んでいてもよい。したがって、いくつかの実施形態において、Ｐ１は、式：ＳＯ３Ｚ、ＰＯ３Ｚ２、Ｃ１〜Ｃ１２アルキル−ＣＯ２Ｚ、Ｃ１〜Ｃ１２アルキル−ＳＯ３ＺまたはＣ１〜Ｃ１２アルキル−ＰＯ３Ｚ２、Ｃ１〜Ｃ１２アルキル−ＯＳＯ３ＺまたはＣ１〜Ｃ１２アルキル−ＯＰＯ３Ｚ２（式中、Ｚは、Ｈまたは水溶性陽イオンである）の基であってもよい。水溶性陽イオンの例は、Ｌｉ＋、Ｎａ＋、Ｋ＋およびＮＨ４＋等である。
【００７８】
あるいは、Ｐ１は、四級アンモニウム基などのアンモニウム基を含んでいてもよい。したがって、いくつかの実施形態において、Ｐ１は、式：Ｃ１〜Ｃ１２アルキル−Ｎ＋（Ｒａ）（Ｒｂ）（Ｒｃ）またはＣ１〜Ｃ１２アルキル−Ｕ（式中、Ｒａ、ＲｂおよびＲｃ）は、同一であっても異なっていてもよく、Ｈ、Ｃ１〜Ｃ８アルキル（例えばメチル、エチル、シクロヘキシル、シクロペンチル、ｔｅｒｔ−ブチルおよびイソプロピル等）、またはＣ６〜Ｃ１２アリールアルキル（例えばベンジルおよびフェニルエチル等）、またはＣ６〜Ｃ１２アリール（例えばフェニルおよびナフチル等）から独立に選択され、Ｕは、ピリジニウム、イミダゾリウムまたはピロリニウムである）の基であってもよい。
【００７９】
あるいは、Ｐ１は、一般式：−ＳＯ２ＮＲｐＲｑ（式中、ＲｐおよびＲｑは、Ｈ、Ｃ１〜Ｃ８アルキル（例えばメチル、エチル、シクロヘキシル、シクロペンチル、ｔｅｒｔ−ブチルおよびイソプロピル等）、−（ＣＨ２ＣＨ２Ｏ）ｅＲｅ（式中、ｅは、２から５０００の整数であり、Ｒｅは、Ｈ、Ｃ１〜Ｃ８アルキルまたはＣ（Ｏ）Ｃ１〜Ｃ８アルキルである）、Ｃ６〜Ｃ１２アリールアルキル（例えばベンジルおよびフェニルエチル等）またはＣ６〜Ｃ１２アリール（例えばフェニルおよびメトキシフェニル等）から独立に選択される）の基などのスルホンアミド基を含んでいてもよい。
【００８０】
上述のような分枝構造は、デンドリマーとして広く知られている。デンドリマーは、それらの分枝鎖が軸配位子の有効三次元体積を最大限にするのに加えて、複数の親水基を染料分子に導入する潜在性を提供するため有利である。式（Ａ）に示されるペンタエリスリトール構造体は、本発明に好適に使用される単純なデンドリマーの例である。さらなる例は、トリエタノールアミン誘導体（Ｂ）、フロログルシノール誘導体（Ｃ）および３，５−ジヒドロキシベンジルアルコール誘導体（Ｄ）である。
【００８１】
【化６】
2008509257.tif 000008
【００８２】
代替的な実施形態において、Ｐ１基のいずれかは、それ自体が分枝部分である。分枝部分は、式（ＩＩＩｂ）の部分などの、軸配位子にさらなる分枝を添加する任意の構造体であってもよい。
【００８３】
【化７】
2008509257.tif 000009
【００８４】
式中、
Ｃ２は、２つ以上の分枝位置を有する芯単位を示し、
Ｐ２は、Ｈまたは親水部分を示し、
ｇ２は、２から８の整数を示し、
ｑ２は、０、または１から６の整数を示し、
ｐ２は、０、または１から６の整数を示す。
【００８５】
Ｃ２およびＰ２の好ましい形態は、上記のＣ１およびＰ１の好ましい形態に対応する。Ｐ１が式（ＩＩＩｂ）の分枝部分である軸配位子の具体例は、ジペンタエリスリトール誘導体（Ｅ）である。
【００８６】
【化８】
2008509257.tif 000010
【００８７】
あるいは、分枝部分は、アルキレンまたはエーテル鎖によって結合された芯単位のモチーフに基づく多数の無秩序の分枝鎖を含んでいてもよい。例えば、さらなるペンタエリスリトール、３，５−ジヒドロキシベンジルアルコールまたはトリエタノールアミン成分でペンタエリスリトールを順次エーテル化することによって、無秩序のデンドリマー構造体を迅速に構築できることが容易に理解されるであろう。デンドリマー状の１つまたは複数のヒドロキシル基を上述の親水基のいずれかなどの親水基でキャップすることができる。その範囲の親水性キャッピングを用いて、染料分子の水溶性を制御することができる。
【００８８】
正確な構造式を用いて無秩序の分枝構造を容易に例示できないことが理解されるであろう。しかし、すべての分枝デンドリマー状構造が、Ａ１の上記定義の範囲に含まれるものと考えられる。
【００８９】
「ヒドロカルビル」という用語は、本明細書では、一般には炭素と水素からなる一価の基を意味するように用いられる。したがって、ヒドロカルビル基は、アルキル、アルケニルおよびアルキニル基（直鎖および分枝鎖形態）、炭素環基（ビシクロオクチルおよびアダマンチルなどのポリシクロアルキル基を含む）およびアリール基、ならびにアルキルシクロアルキル、アルキルポリシクロアルキル、アルキルアリール、アルケニルアリール、アルキニルアリール、シクロアルキルアリールおよびシクロアルケニルアリール基などの前述の基の組合せを含む。同様に、「ヒドロカルビレン」という用語は、上述の一価のヒドロカルビル基に対応する二価の基を意味する。
【００９０】
特に指定がなければ、ヒドロカルビル基における４つ以下の−Ｃ−Ｃ−および／または−Ｃ−Ｈ部分は、−Ｏ−、−ＮＲｗ−、−Ｓ−、−Ｃ（Ｏ）−、−Ｃ（Ｏ）Ｏ−、−Ｃ（Ｏ）ＮＲｗ−、−Ｓ（Ｏ）−、−ＳＯ２−、−ＳＯ２Ｏ−および−ＳＯ２ＮＲｗ−（式中、Ｒｗは、Ｈ、Ｃ１〜Ｃ１２アルキル、Ｃ６〜Ｃ１２アリールまたはＣ６〜Ｃ１２アリールアルキルから選択される基である）から選択される１つまたは複数の部分で場合によって置換されていてもよい。
【００９１】
特に指定がなければ、ヒドロカルビル基が１つまたは複数の−Ｃ＝Ｃ−部分を含有する場合は、４つ以下の−Ｃ＝Ｃ−部分は、−Ｃ＝Ｎ−で場合によって置換されていてもよい。したがって、「ヒドロカルビル」という用語は、ヘテロアリール、エーテル、チオエーテル、カルボキシ、ヒドロキシル、アルコキシ、アミン、チオール、アミド、エステル、ケトン、スルホキシド、スルホン酸塩およびスルホアミド等の部分を含むことができる。
【００９２】
特に指定がなければ、ヒドロカルビル基は、ハロゲン、シアノ、ニトロ、上記に定めた親水基（例えば−ＳＯ３Ｈ、−ＳＯ３Ｋ、−ＣＯ２Ｎａ、−ＮＨ３＋および−ＮＭｅ３＋等）、または上記に定めたポリマー基（例えばポリエチレングリコールから誘導されたポリマー基）から独立に選択される４つ以下の置換基を含んでいてもよい。
【００９３】
本明細書に用いられるように、「架橋環状基」という用語は、１、２、３または４の架橋原子を含有するＣ４〜Ｃ３０の炭素環（好ましくはＣ６〜Ｃ２０の炭素環）を含む。架橋炭素環基の例は、ボルニルおよびトリプチセニル、ならびにそれらの誘導体である。「架橋環状基」という用語は、アダマンテニルおよびトリシクロ［５．２．１．０］デカニル、ならびにそれらの誘導体などの基を含む架橋多環状基をも含む。
【００９４】
特に指定がなければ、「架橋環状基」という用語は、１、２、３または４の炭素原子が、Ｎ、ＳまたはＯから選択されるヘテロ原子で置換される架橋炭素環（すなわち架橋ヘテロ環）をも含む。炭素環における炭素原子が、ヘテロ原子で置換されるという場合は、−ＣＨ−が−Ｎ−で置換され、−ＣＨ２−が−Ｏ−で置換され、または−ＣＨ２−が−Ｓ−で置換されることを意味する。したがって、「架橋環状基」という用語は、キヌクリジニルおよびトロパニルなどの架橋ヘテロ環状基を含む。特に指定がなければ、架橋環状基のいずれか、上述の置換基のうちの１、２、３または４つの置換基で場合によって置換されていてもよい。
【００９５】
「アリール」という用語は、本明細書では、フェニル、ナフチルまたはトリプチセニルなどの芳香族基を意味するように用いられる。Ｃ６〜Ｃ１２アリールは、例えば、あらゆる置換基を除いて、６から１２の炭素原子を有する芳香族基を意味する。「アリレン」という用語は、勿論、上述の一価のアリール基に対応する二価の基を意味する。アリールの言及は、適宜アリレンを暗示的に含む。
【００９６】
「ヘテロアリール」という用語は、１、２、３または４つの炭素原子が、Ｎ、ＯまたはＳから選択されるヘテロ原子で置換されたアリール基を意味する。ヘテロアリール（またはヘテロ芳香族）基の例としては、ピリジル、ベンズイミダゾール、インダゾリル、キノリニル、イソキノリニル、インドリニル、イソインドリニル、インドリル、イソインドリル、フラニル、チオフェニル、ピロリル、チアゾリル、イミダゾリル、オキサゾリル、イソキサゾリル、ピラゾリル、イソキサゾロニル、ピペラジニル、ピリミジニル、ピペリジニル、モルホニリル、ピロリジニル、イソチアゾリル、トリアゾリル、オキサジアゾリル、チアジアゾリル、ピリジル、ピリミジニル、ベンゾピリミジニル、ベンゾトリアゾール、キノキサリニル、ピリダジルおよびクマリニル等が挙げられる。「ヘテロアリレン」という用語は、勿論、上述の一価のヘテロアリール基に対応する二価の基を意味する。ヘテロアリールの言及は、適宜ヘテロアリレンを含む。
【００９７】
特に指定がなければ、アリール、アリレン、ヘテロアリールおよびヘテロアリレン基は、以下に記載される置換基のうちの１、２、３、４または５つの置換基で場合によって置換されていてもよい。
【００９８】
場合によって置換されている基（例えば、架橋環状基、アリール基またはヘテロアリール基に関して）が言及される場合は、随意の置換基は、Ｃ１〜Ｃ８アルキル、Ｃ１〜Ｃ８アルコキシ、−（ＯＣＨ２ＣＨ２）ｄＯＲｄ（式中、ｄは２から５０００の整数であり、ＲｄはＨ、Ｃ１〜Ｃ８アルキルまたはＣ（Ｏ）Ｃ１〜Ｃ８アルキルである）、シアノ、ハロゲン、アミノ、ヒドロキシル、チオール、−ＳＲｖ、−ＮＲｕＲｖ、ニトロ、フェニル、フェノキシ、−ＣＯ２Ｒｖ、−Ｃ（Ｏ）Ｒｖ、−ＯＣＯＲｖ、−ＳＯ２Ｒｖ、−ＯＳＯ２Ｒｖ、−ＳＯ２ＯＲｖ、−ＮＨＣ（Ｏ）Ｒｖ、−ＣＯＮＲｕＲｖ、−ＣＯＮＲｕＲｖおよび−ＳＯ２ＮＲｕＲｖ（式中、ＲｕおよびＲｖは、水素、Ｃ１〜Ｃ１２アルキル、フェニルまたはフェニル−Ｃ１〜Ｃ８アルキル（例えばベンゼン）から独立に選択される）から独立に選択される。例えば、基が複数の置換基を含有する場合は、異なる置換基が、異なるＲｕまたはＲｖ基を有することができる。例えば、ナフチル基は、３つの置換基、すなわち−ＳＯ２ＮＨＰｈ、−ＣＯ２Ｍｅ基および−ＮＨ２で置換されていてもよい。
【００９９】
「アルキル」という用語は、本明細書では、直鎖および分枝形態のアルキル基を意味するように用いられる。アルキル基は、Ｏ、ＮまたはＳから選択される１、２または３つのヘテロ原子に割り込まれていてもよい。アルキル基は、１、２または３つの二重および／または三重結合に割り込まれていてもよい。しかし、「アルキル」という用語は、ヘテロ原子の割込みまたは二重もしくは三重結合の割込みの内アルキル基を通常意味する。「アルケニル」基が具体的に言及される場合は、これは、上記「アルキル」の定義を制限するものと見なされることを意図するものではない。
【０１００】
「アルキル」という用語は、ハロゲノアルキル基を含む。Ｃ１〜Ｃ１２アルキル基は、例えば、５つまでの水素原子がハロゲン原子に置換されていてもよい。例えば、基−ＯＣ（Ｏ）Ｃ１〜Ｃ１２アルキルは、具体的には、−ＯＣ（Ｏ）ＣＦ３を含む。
【０１０１】
例えばＣ１〜Ｃ１２アルキルが言及される場合は、そのアルキル基は、１と１２の間の任意の数の炭素原子を有していてもよいことを意味する。特に指定がなければ、「アルキル」の言及は、Ｃ１〜Ｃ１２アルキル、好ましくはＣ１〜Ｃ６アルキルを意味する。
【０１０２】
「アルキル」という用語は、シクロアルキル基をも含む。本明細書に用いられているように、「シクロアルキル」という用語は、シクロアルキル、ポリシクロアルキルおよびシクロアルケニル基、ならびにシクロアルキルアルキル基などのこれらと直鎖状アルキル基との組合せを含む。シクロアルキル基は、Ｏ、ＮまたはＳから選択される１、２または３つのヘテロ原子に割り込まれていてもよい。しかし、「シクロアルキル」という用語は、ヘテロ原子割込みのないシクロアルキル基を通常意味する。シクロアルキル基の例としては、シクロペンチル、シクロヘキシル、シクロヘキセニル、シクロヘキシルメチルおよびアダマンチル基が挙げられる。
【０１０３】
「アリールアルキル」という用語は、ベンジル、フェニルエチルおよびナフチルメチルなどの基を意味する。
【０１０４】
「ハロゲン」または「ハロ」という用語は、本明細書では、フッ素、塩素、臭素およびヨウ素のいずれかを意味するように使用される。しかし、通常は、ハロゲンは塩素またはフッ素置換基を意味する。
【０１０５】
「・・・を含む置換基」（例えば「親水基を含む置換基」、「酸基（その塩を含む）を含む置換基」および「ポリマー鎖を含む置換基」等）が言及される場合は、問題の置換基は、全面的または部分的に特定の基から構成されていてもよい。例えば、「酸基（その塩を含む）を含む置換基」は、式：−（ＣＨ２）ｊ−ＳＯ３Ｋ（式中、ｊは、０または１から６の整数である）の基であってもよい。したがって、この脈絡において、「置換基」という用語は、例えば、特定の基が結合されたアルキル基であってもよい。しかし、特定の基が存在するのであれば、置換基の正確な性質は所望の機能にとって重要でないことが容易に理解されるであろう。
【０１０６】
本明細書に記載されているキラル化合物は、立体記述子が与えられていなかった。しかし、化合物が立体異性体形態で存在しうる場合は、そのすべての可能な立体異性体および混合物（例えば、鏡像異性体、ジアステレオ異性体、およびラセミ混合物等を含むすべての組合せ）が含まれる。
【０１０７】
同様に、化合物が、いくつかの位置異性体形態で存在しうる場合は、そのすべての可能な位置異性体および混合物が含まれる。
【０１０８】
疑問を回避するために、「１つの・・・を含む」などの句における１つの（「ａ」（または「ａｎ」））という用語は、「少なくとも１つ」を意味し、「１つおよびただ１つ」を意味するものではない。「少なくとも１つ」という用語が具体的に用いられる場合は、「１つ（ａ）」の定義を制限するものと見なされるべきではない。
【０１０９】
明細書を通じて、「含んでいる」という用語、または「含む」などの変型は、指定の要素、整数または工程を含むものと見なされるべきであるが、他の要素、整数または工程を除外するものと見なされるべきではない。
【０１１０】
（インクジェットインク）
本発明はまた、インクジェットインクを提供する。好ましくはインクジェットインクは水系インクジェットインクである。
【０１１１】
水系インクジェットインク組成物は、文献でよく知られており、水に加えて、補助溶媒、殺生剤、金属封鎖剤、保湿剤、ｐＨ調節剤、粘度改質剤、浸透剤、湿潤剤および界面活性剤等の添加剤を含んでいてもよい。
【０１１２】
補助溶媒は、典型的には水溶性有機溶媒である。好適な水溶性有機溶媒としては、エタノール、メタノール、ブタノール、プロパノールおよび２−プロパノールなどのＣ１〜Ｃ４アルキルアルコール、エチレングリコールモノメチルエーテル、エチレングリコールモノエチルエーテル、エチレングリコールモノブチルエーテル、酢酸エチレングリコールモノメチルエーテル、ジエチレングリコールモノメチルエーテル、ジエチレングリコールモノエチルエーテル、ジエチレングリコールモノ−ｎ−プロピルエーテル、エチレングリコールモノイソプロピルエーテル、ジエチレングリコールモノイソプロピルエーテル、エチレングリコールモノ−ｎ−ブチルエーテル、ジエチレングリコールモノ−ｎ−ブチルエーテル、トリエチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノイソプロピルエーテル、ジプロピレングリコールモノメチルエーテル、ジプロピレングリコールモノエチルエーテル、ジプロピレングリコールモノ−ｎ−プロピルエーテル、ジプロピレングリコールモノイソプロピルエーテル、プロピレングリコールモノ−ｎ−ブチルエーテルおよびジプロピレングリコールモノ−ｎ−ブチルエーテルなどのグリコールエーテル、ホルムアミド、アセトアミド、ジメチルスルホキシド、ソルビトール、ソルビタン、モノ酢酸グリセロール、二酢酸グリセロール、三酢酸グリセロールおよびスルホン酸塩、またはそれらの組合せが挙げられる。
【０１１３】
他の有用な水溶性有機溶媒としては、２−ピロリドン、Ｎ−メチルピロリドン、ｅ−カプロラクタン、ジメチルスルホキシド、スルホラン、モルホリン、Ｎ−エチルモルホリン、１，３−ジメチル−２−イミダゾリジノン、およびそれらの組合せなどの極性溶媒が挙げられる。
【０１１４】
インクジェットインクは、保水性および湿潤特性をインク組成物に付与するための湿潤剤または保湿剤として機能することができる高沸点水溶性有機溶媒を含有していてもよい。当該高沸点水溶性有機溶媒は、沸点が１８０℃以上の溶媒を含む。沸点が１８０℃以上の水溶性有機溶媒の例としては、エチレングリコール、プロピレングリコール、ジエチレングリコール、ペンタメチレングリコール、トリメチレングリコール、２−ブテン−１，４−ジオール、２−エチル−１，３−ヘキサンジオール、２−メチル−２，４−ペンタンジオール、トリプロピレングリコールモノメチルエーテル、ジプロピレングリコールモノエチルグリコール、ジプロピレングリコールモノエチルエーテル、ジプロピレングリコールモノメチルエーテル、ジプロピレングリコール、トリエチレングリコールモノメチルエーテル、テトラエチレングリコール、トリエチレングリコール、ジエチレングリコールモノブチルエーテル、ジエチレングリコールモノエチルエーテル、ジエチレングリコールモノメチルエーテル、トリプロピレングリコール、分子量が２０００以下のポリエチレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、グリセロール、エリスリトール、ペンタエリスリトール、およびそれらの組合せが挙げられる。
【０１１５】
インクジェットインクにおける全水溶性有機溶媒含有量は、全インク組成物に対して、好ましくは約５から５０重量％、より好ましくは１０から３０重量％である。
【０１１６】
他の好適な湿潤剤または保湿剤としては、糖類（単糖類、オリゴ糖類および多糖類を含む）およびそれらの誘導体（例えばマルチトール、ソルビトール、キシリトール、ヒアルロン酸塩、アルドン酸およびウロン酸等）が挙げられる。
【０１１７】
インクジェットインクは、水性インクの記録媒体への浸透を加速させるための浸透剤を含んでいてもよい。好適な浸透剤としては、多価アルコールアルキルエーテル（グリコールエーテル）および／または１，２−アルキルジオールが挙げられる。好適な多価アルコールアルキルエーテルの例は、エチレングリコールモノメチルエーテル、エチレングリコールモノエチルエーテル、エチレングリコールモノブチルエーテル、酢酸エチレングリコールモノメチルエーテル、ジエチレングリコールモノメチルエーテル、ジエチレングリコールモノエチルエーテル、エチレングリコールモノ−ｎ−プロピルエーテル、エチレングリコールモノイソプロピルエーテル、ジエチレングリコールモノイソプロピルエーテル、エチレングリコールモノ−ｎ−ブチルエーテル、ジエチレングリコールモノ−ｎ−ブチルエーテル、トリエチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノイソプロピルエーテル、ジプロピレングリコールモノメチルエーテル、ジプロピレングリコールモノエチルエーテル、ジプロピレングリコールモノ−ｎ−プロピルエーテル、ジプロピレングリコールモノイソプロピルエーテル、プロピレングリコールモノ−ｎ−ブチルエーテルおよびジプロピレングリコールモノ−ｎ−ブチルエーテルである。好適な１，２−アルキルジオールの例は、１，２−ペンタンジオールおよび１，２−ヘキサンジオールである。浸透剤は、１，３−プロパンジオール、１，４−ブタンジオール、１，５−ペンタンジオール、１，６−ヘキサンジオール、１，７−ヘプタンジオールおよび１，８−オクタンジオールなどの直鎖炭化水素ジオールから選択されうる。グリセロールまたは尿素を浸透剤として使用してもよい。
【０１１８】
浸透剤の量は、全インク組成物に対して好ましくは１から２０重量％、より好ましくは１から１０重量％の範囲である。
【０１１９】
インクジェットインクは、界面活性剤、特に陰イオン界面活性剤および／または非イオン界面活性剤を含有していてもよい。有用な陰イオン界面活性剤としては、アルカンスルホン酸塩、α−オレフィンスルホン酸塩、アルキルベンゼンスルホン酸塩、アルキルナフタレンスルホン酸、アシルメチルタウリンおよびジアルキルスルホスクシン酸などのスルホン酸型；アルキル硫酸エステル塩、硫酸化油、硫酸化オレフィン、ポリオキシエチレンアルキルエーテル硫酸エステル塩；例えば脂肪酸塩およびアルキルサルコシン塩のようなカルボン酸型；ならびにアルキルリン酸エステル塩、ポリオキシエチレンアルキルエーテルリン酸エステル塩およびグリセロリン酸エステル塩などのリン酸エステル型が挙げられる。陰イオン界面活性剤の具体例は、ドデシルベンゼンスルホン酸ナトリウム、ラウリル酸ナトリウムおよびポリオキシエチレンアルキルエーテル硫酸アンモニウム塩である。
【０１２０】
好適な非イオン界面活性剤としては、ポリオキシエチレンアルキルエーテル、ポリオキシエチレンアルキルフェニルエーテル、ポリオキシエチレンアルキルエステルおよびポリオキシエチレンアルキルアミドなどの酸化エチレン付加物型；グリセロールアルキルエステル、ソルビタンアルキルエステルおよび糖アルキルエステルなどのポリオールエステル型；多価アルコールアルキルエーテルなどのポリエーテル型；ならびにアルカノールアミン脂肪酸アミドなどのアルカノールアミド型が挙げられる。非イオン界面活性剤の具体例は、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテルおよびポリオキシアルキレンアルキルエーテル（例えばポリオキシエチレンアルキルエーテル）などのエーテル；ならびにオレイン酸ポリオキシエチレン、オレイン酸ポリオキシエチレンエステル、ジステアリン酸ポリオキシエチレン、ラウリル酸ソルビタン、モノステアリン酸ソルビタン、モノオレイン酸ソルビタン、セスキオレイン酸ソルビタン、モノオレイン酸ポリオキシエチレンおよびステアリン酸ポリオキシエチレンである。２，４，７，９−テトラメチル−５−デシン−４，７−ジオール、３，６−ジメチル−４−オクチン−３，６−ジオールまたは３，５−ジメチル−１−ヘキシン−３−オールなどのアセチレングリコール界面活性剤を使用してもよい。
【０１２１】
インクジェットインクは、そのｐＨを７から９に調節するためのｐＨ調節剤を含有していてもよい。好適なｐＨ調節剤としては、水酸化ナトリウム、水酸化カリウム、水酸化リチウム、炭酸ナトリウム、炭酸水素ナトリウム、炭酸カリウム、炭酸水素カリウム、炭酸リチウム、リン酸ナトリウム、リン酸カリウム、リン酸リチウム、リン酸二水素カリウム、リン酸水素二カリウム、シュウ酸ナトリウム、シュウ酸カリウム、シュウ酸リチウム、ホウ酸ナトリウム、四ホウ酸ナトリウム、フタル酸水素カリウムおよび酒石酸水素カリウムなどの塩基性化合物；アンモニア；ならびにメチルアミン、エチルアミン、ジエチルアミン、トリメチルアミン、トリエチルアミン、塩酸トリス（ヒドロキシメチル）アミノメタン、トリエタノールアミン、ジエタノールアミン、ジエチルエタノールアミン、トリイソプロパノールアミン、ブチルジエタノールアミン、モルホリンおよびプロパノールアミンなどのアミンが挙げられる。
【０１２２】
インクジェットインクは、安息香酸、ジクロロフェン、ヘキサクロロフェン、ソルビン酸、ヒドロキシ安息香酸エステル、デヒドロ酢酸ナトリウム、１，２−ベンチアゾリン−３−オン、３，４−イソチアゾリン−３−オンまたは４，４−ジメチルオキサゾリジンなどの殺生剤を含んでいてもよい。
【０１２３】
インクジェットインクは、エチレンジアミン四酢酸（ＥＤＴＡ）などの金属イオン封鎖剤を含有していてもよい。
【０１２４】
インクジェットインクは、一重項酸素失活剤を含有していてもよい。インク中に一重項酸素失活剤が存在すると、ＩＲ吸収染料が分解する傾向が低減する。失活剤は、染料分子の近傍で生成されるあらゆる一重項酸素を消費するため、染料分子の分解を最小限にする。過剰の一重項酸素失活剤は、染料の分解を最小限にし、そのＩＲ吸収特性を長時間保持するのに有利である。好ましくは、一重項酸素失活剤は、アスコルビン酸、１，４−ジアザビシクロ−［２．２．２］オクタン（ＤＡＢＣＯ）、アジド（例えばアジドナトリウム）、ヒスチジンまたはトリプトファンから選択される。
【０１２５】
（インクジェットプリンタ）
本発明は、少なくとも１つのインク溜めに流動連絡するプリントヘッドを含むインクジェットプリンタであって、前記インク溜めは、上述のインクジェットインクを含むインクジェットプリンタをも提供する。
【０１２６】
熱バブルジェットおよび圧電式プリンタなどのインクジェットプリンタは、当該技術分野でよく知られており、当業者の一般常識の一部を形成する。プリンタは、高速インクジェットプリンタであってもよい。プリンタは、好ましくは、ページ幅プリンタである。本発明に使用される好ましいインクジェットプリンタおよびプリントヘッドは、いずれもその全体が参照により本明細書に組み込まれている以下の特許出願に記載されている。
第１０／３０２，２７４号；
第６６９２１０８号；
第６６７２７０９号；
第１０／３０３，３４８号；
第６６７２７１０号；
第６６６９３３４号；
第１０／３０２，６６８号；
第１０／３０２，５７７号；
第６６６９３３３号；
第１０／３０２，６１８号；
第１０／３０２，６１７号；
第１０／３０２，２９７号；
【０１２７】
（プリントヘッド）
Ｍｅｍｊｅｔプリンタは、互いに隣り合わせに取りつけられてページ幅プリントヘッドを形成する２つのプリントヘッド集積回路を一般に有する。典型的には、プリントヘッドＩＣは、２インチから８インチのサイズ幅を有することができるため、いくつかの組合せを使用して、所謂Ａ４ページ幅プリントヘッドを製造することが可能である。例えば、７および３インチ、２および４インチまたは５および５インチの２つのプリントヘッドＩＣを使用して、Ａ４プリントヘッドを作ることが可能である（表示は７：３）。同様に、６および４（６：４）または５および５（５：５）の組合せを使用することが可能である。例えば、８および６インチプリントヘッド集積回路からＡ３プリントヘッドを構成することが可能である。写真印刷では、特にカメラにおいて、より小さいプリントヘッドを使用することが可能である。単一のプリントヘッド回路、または３つ以上の当該回路を使用して、必要なプリントヘッド幅を達成できることも理解されるであろう。
【０１２８】
次に、図１７および１８を参照して、プリントヘッドの好ましいプリントヘッド実施形態について説明する。プリントヘッド４２０は、長形部の形態をとる。図１８に最もよく示されるように、プリントヘッド４２０の部品としては、支持部材４２１、フレキシブルＰＣＢ４２２、インク分配型４２３、インク分配板４２４、第１および第２のプリントヘッド集積回路（ＩＣ）４２５および４２６を含むＭＥＭＳプリントヘッド、およびバスバー４２７が挙げられる。
【０１２９】
支持部材４２１を金属またはプラスチックなどの任意の好適な材料から形成することができ、他の方法で押し出し、成形し、形成することができる。支持部材４２１は、他の部品を互いに相対的に適切な配列に保持しながら、プリントヘッド全体を硬化・強化するのに十分な強度を有している必要がある。
【０１３０】
フレキシブルＰＣＢは、プリントヘッド４２０の長さを拡張し、第１および第２の電気部品４２８および４２９を含む。電気部品４２８および４２９は、フレキシブルコネクタ（不図示）に対応する。電気コネクタは、使用に際して、ＳｏＰＥＣチップ（不図示）からの対応する出力コネクタと接触して配置される接触部４５０および４６０を含む。ＳｏＰＥＣチップからのデータは、電気コネクタ４２８および４２９に沿って送られ、第１および第２のプリントヘッドＩＣ４２５および４２６のそれぞれの端部に分配される。
【０１３１】
図１９に示されるように、インク分配型４２３は、流体（すなわち着色インク、赤外インクおよび固着材）およびエアポンプからの加圧空気をプリントヘッド４２０（図１８）の長さに沿って分配する複数の長形導管４３０を含む。インク分配型４２３の長さに沿って配置された流体孔４３１集合体（図２０）は、流体および空気を導管４３０からインク分配型４２４に分配する。流体および空気は、プリンタ内の対応するソケット（不図示）に差し込まれるプラグ４４１（図２１）に形成されたノズル４４０を介して供給される。
【０１３２】
（図２０に示されるように）分配板４２４は、流体孔４３１から局所的に供給された流体を受け取り、より小さい分配孔４３２を通してプリントヘッドＩＣ４２５および４２６に分配するように構成された多層構造体である。
【０１３３】
プリントヘッドＩＣ４２５および４２６は、直列に配置され、より小さい分配孔４３２からのインクをプリントヘッドＩＣ４２５および４２６における対応する孔（不図示）に供給できるように分配板４２４に接触して保持される。
【０１３４】
バスバー４２７は、プリントヘッドノズルのアクチュエータに駆動電流を供給するように配置された比較的高容量の導体である（以下により詳細に説明されている）。図２０に最もよく示されるように、バスバー４２７は、一端がソケット４３３によって所定位置に保持され、両端がフレキシブルＰＣＢ４２２の循環翼４３４によって保持されている。バスバーは、プリントヘッドＩＣ４２５を所定位置に保持する役割も果たしている。
【０１３５】
図１８に最もよく示されるように、組み立てられると、フレキシブルＰＣＢ４２２は、他の部品に効果的に巻きつけられることによって、それらを互いに接触して保持する。この結合効果にもかかわらず、支持部材４２１は、プリントヘッド４２０全体の必要な硬度および強度の大部分を提供する。
【０１３６】
次に、上述のプリントヘッドに好適に使用されるプリントヘッドノズルの２つの形態（「熱屈曲アクチュエータ」および「バブル成形ヒータ素子アクチュエータ」）を説明する。
【０１３７】
（熱屈曲アクチュエータ）
熱屈曲アクチュエータにおいて、インクを含むノズル室、および室内に配置されたパドルに接続された熱屈曲アクチュエータを有するノズル機構が典型的に設けられる。熱アクチュエータデバイスは、ノズル室からインクを排出するように作動される。好ましい実施形態は、伝導トレースから伝導熱を供給するための一連のテーパ単位を含む特定の熱屈曲アクチュエータである。アクチュエータは、ノズル室の溝付き壁を通じて受け取られるアームを介してパドルに接続される。アクチュエータアームは、ノズル室壁の溝の表面に実質的に接合するように接合形を有する。
【０１３８】
最初に図２２（ａ）〜（ｃ）を参照すると、本実施形態のノズル機構の基本動作の概略図が示されている。ノズル室５０１が配置されたウェハ基体を通じてエッチングされうるインク導入チャネル５０３によって、ノズル室５０１にインク５０２が充填される。ノズル室５０１は、その周りにインクメニスカスが形成されるインク排出口５０４をさらに含む。
【０１３９】
ノズル室５０１の内部には、ノズル室５０１の壁の水を通じてアクチュエータ５０８に相互接続されるパドル型デバイス５０７が存在する。アクチュエータ５０８は、ヒータ手段、例えば支柱５１０の端部に隣接するヒータ手段５０９を含む。支柱５１０は基体に固定される。
【０１４０】
液滴をノズル室５０１から排出するのが望ましい場合は、図２２（ｂ）に示されるように、ヒータ手段５０９は、熱膨張するように加熱される。好ましくは、ヒータ手段５０９自体、またはアクチュエータ５０８の他の部分は、屈曲効率が以下の式で定められる場合の高い屈曲効率を有する材料から構成される。
【０１４１】
屈曲効率＝ヤング率×（熱膨張係数）／（密度×比熱容量）
【０１４２】
ヒータ素子に好適な材料は、ガラス材料を屈曲させるように形成されうる銅ニッケル合金である。
【０１４３】
ヒータ手段５０９は、支柱５１０付近の小さい熱膨張によってパドル端部が大きく移動するように、活性化の効果がパドル端部５０７で拡大されるように、理想的には支柱５１０の端部に隣接して配置される。
【０１４４】
ヒータ手段５０９およびそれによるパドルの移動は、急速に図２２（ｂ）に示されるように膨張するインクメニスカス５０５の周りの圧力を全体的に上昇させる。ヒータ電流が押し出され、インクがインクチャネル５０３から流入するのに加えて、口５０４から排出される。
【０１４５】
続いて、パドル５０７は、不活性化されて、再び休止位置に戻る。その不活性化により、インクが全体的にノズル室に再流入する。ノズルリム外側のインクの順方向移動、および対応する逆流により、印刷媒体に進む液滴５１２が全体的に絞られ、離脱する。メニスカス５０５の崩壊により、インクが、インク流動チャネル５０３を介してノズル室５０２へ全体的に吸引される。そのうちに、図２２（ａ）の位置に再び到達され、続いて、インクの他の液滴の排出に向けてノズル室の用意が調うように、ノズル室５０１を再び満たす。
【０１４６】
図２３は、ノズル機構の側面斜視図を示す図である。図２４は、図２３のノズル機構のアレイに沿う断面図を示す図である。これらの図において、先に導入された要素の番号が保持されている。
【０１４７】
第１に、アクチュエータ５０８は、一連のテーパアクチュエータ単位、例えば窒化チタン層５１７の上部に形成された上部ガラス部（非晶質二酸化珪素）５１６を含むアクチュエータ単位５１５を含む。あるいは、より高い屈曲効率を有する銅ニッケル合金層（以降キュプロニッケルと呼ぶ）を利用することが可能である。
【０１４８】
窒化チタン層５１７は、テーパ形態であり、そのため支柱５１０の端部付近で抵抗加熱が生じる。隣り合う窒化チタン／ガラス部５１５は、アクチュエータ５０８を機械構造的に支持するブロック部５１９で相互接続される。
【０１４９】
ヒータ手段５０９は、理想的には、長形であり、加熱すると、アクチュエータ５０８の軸に沿って発揮される屈曲力を最大にするように離れて配置される複数のテーパアクチュエータ単位５１５を含む。溝は、隣り合うテーパ単位５１５の間に定められ、隣り合うアクチュエータ５０８に対する各アクチュエータ５０８のわずかな差動作に対応する。
【０１５０】
ブロック部５１９は、アーム５２０に相互接続される。アーム５２０は、溝、例えばノズル室５０１の側面に形成された溝５２２によって、ノズル室５０１の内側のパドル５０７に接続される。溝５２２は、アーム５２０の周りのインクの流出を最小限にするように、アーム５２０の表面に接合するように全体的に設計される。インクは、溝５２２の周りの表面張力効果によって、ノズル室５０１内に全体的に保持される。
【０１５１】
アーム５２０を作動することが望まれる場合は、必要な力を提供し、ノズル機構の回路を制御する下方ＣＭＯＳ層５０６に接続するブロック部５１９内のバイアを介して、窒化チタン層５１７に伝導電流が流される。伝導電流によって、支柱５１０に隣接する窒化物層５１７が加熱され、それにより、アーム２０が全体的に上方に屈曲し、その結果インクがノズル５０４から排出される。排出された液滴は、先述のように、インクジェットプリンタに対する通常の様式でページ上に印刷される。
【０１５２】
単一のプリントヘッドを作るようにノズル機構のアレイを形成することが可能である。例えば、図２４には、プリントヘッドアレイを形成するように介在配列線でレイアウトされた図２３の多数のインク排出ノズル機構を含む部分的に分画された様々なアレイ図が示されている。勿論、完全色アレイ等を含む異なるタイプのアレイを構築することも可能である。
【０１５３】
その内容が相互参照により全面的に組み込まれている本出願人の「Ｉｍａｇｅ  Ｃｒｅａｔｉｏｎ  Ｍｅｔｈｏｄ  ａｎｄ  Ａｐｐａｒａｔｕｓ（画像作成方法および装置）（ＩＪ４１）」という名称の米国第６，２４３，１１３号に記載されているステップの好適な修正を通じて、標準的なＭＥＭＳ技術を利用して、記載のプリントヘッドシステムの構成を進めることが可能である。
【０１５４】
（バブル成形ヒータ素子アクチュエータ）
図１７を参照して、バブル成形ヒータ素子アクチュエータの単位セル１００１は、ノズルリム１００４を有するノズル１００３を内部に有するノズル板１００２と、ノズル板を貫通する開口１００５とを備える。ノズル板１００２は、次にエッチングされる犠牲材料上に、化学蒸着（ＣＶＤ）によって蒸着された窒化シリコン構造体からプラズマエッチングされる。
【０１５５】
プリントヘッドは、また、エッチノズル１００３に対して、ノズル板を支持する側壁１００６と、壁およびノズル板１００２で定められる室１００７と、多層基体１００８と、多層基体を通って基体の遠方側（不図示）に延びる導入路１００９とを含む。輪状長形ヒータ素子１０１０が、懸垂ビームの形態をとるように室１００７内に懸垂される。図示されたプリントヘッドは、リソグラフ法によって形成されるマイクロエレクトロメカニカルシステム（ＭＥＭＳ）構造体である。
【０１５６】
プリントヘッドが使用される場合は、インク溜め（不図示）からのインク１０１１は、室を満たすように、導入路１００９を介して室１００７に浸入する。その後、ヒータ素子１０１０は、１マイクロ秒より幾分短い時間にわたって加熱されるため、加熱は熱パルスの形態をとる。ヒータ素子１０１０は、素子が加熱されると、インクに蒸気バブルが生成されるように、室１００７内でインク１０１１と熱接触することが理解されるであろう。よって、インク１０１１は、バブル成形液を構成する。
【０１５７】
バブル１０１２は、生成されると、室１００７内の圧力を上昇させ、それによって、インク１０１１の液滴１０１６がノズル１００３を通じて排出される。リム１００４は、液滴が方向を誤る可能性を最小にするように排出される液滴１０１６の誘導を支援する。
【０１５８】
１つの導入路１００９にノズル１００３および室１００７が１つしか存在しない理由は、素子１０１０の加熱およびバブル１０１２の形成に応じて室内で生成された圧力波が、隣接する室および対応するノズルに影響を与えないようにするためである。
【０１５９】
室１００７内の圧力の上昇により、インク１０１１がノズル１００３を通じて押し出されるばかりでなく、一部のインクが導入路１００９を通じて逆流する。しかし、導入路１００９は、長さが約２００から３００ミクロンであり、直径が約１６ミクロンである。したがって、実質的に粘性抵抗力が存在する。その結果、室１００７の圧力上昇の支配的な効果は、インクを、導入路９を通じて逆流させずに、ノズル１００３を通じて排出液滴１０１６として追い出すことである。
【０１６０】
図１７に示されるように、インク液滴１０１６の排出は、液滴が離脱する前にその「絞り段階」中に示される。この段階において、バブル１０１２は、最大経に既に達しており、次いで崩壊点１０１７に向かって崩壊を開始している。
【０１６１】
崩壊点１０１７に向かうバブル１０１２の崩壊によって、ノズル１００３内（液滴の側面１０１８）から一部のインク１０１１が引き込まれ、一部が導入路１００９から崩壊点に向かって引き込まれる。このようにして引き込まれたインク１０１１の大半は、ノズル１００３から引き込まれ、離脱する前に液滴１６の基部に環状ネック１０１９を形成する。
【０１６２】
液滴１０１６は、離脱するために、表面張力を克服するのに一定の運動量を必要とする。インク１０１１がバブル１０１２の崩壊によりノズル１００３から引き込まれると、ネック１０１９の直径が小さくなることにより、液滴を保持している全表面張力の量を低下させるため、ノズルから排出される液滴の運動量は、液滴を離脱させるのに十分なものとなる。
【０１６３】
液滴１０１６が離脱すると、バブル１０１２が崩壊点１０１７まで崩壊するのに伴って、矢印１０２０で示されるようにキャビテーション力が生じる。キャビテーションが効果を発揮しうる崩壊点１０１７の近くには固体表面が存在しないことがわかるであろう。
【０１６４】
（インクジェットカートリッジ）
本発明は、上述のインクジェットインクを含むインクジェットインクカートリッジをも提供する。インクジェットプリンタ用インクカートリッジは、当該技術分野でよく知られており、多くの形態で入手可能である。好ましくは、本発明のインクジェットインクカートリッジは、交換可能である。本発明に好適に使用されるインクジェットカートリッジは、その全体が参照により本明細書に組み込まれている以下の特許出願に記載されている。
第６４２８１５５号；
第１０／１７１，９８７号；
【０１６５】
１つの好ましい形態において、インクカートリッジは、
複数の貯蔵部を定める筐体であって、貯蔵部の少なくとも１つは、人間の目に見える印刷情報のための着色剤を収容し、他の貯蔵部の少なくとも１つは、上述のインクジェットインクを収容する筐体を備える。
【０１６６】
好ましくは、各貯蔵部は、いくつかの印刷ページに対する意図された印刷範囲に相対的な内容の期待されたレベルの使用に対応してサイズ設定される。
【０１６７】
次に、本発明によるインクカートリッジを簡単に説明する。図１２は、交換可能なインクカートリッジ６２７の完成組立品を示す図である。それは、固着材６４４、接着剤６３０、シアン６３１、マゼンタ６３２、イエロー６３３、ブラック６３４および赤外６３５インクを貯蔵するための袋または室を有する。カートリッジ６２７は、ベース型６３７にマイクロエアフィルタ６３６をも収容する。図９に示されるように、マイクロエアフィルタ６３６は、ハウス６３９を介してプリンタ内部のエアポンプ６３８と接続する。これは、濾過空気をプリントヘッド７０５に供給して、ノズルを詰まらせる恐れのある微粒子のＭｅｍｊｅｔ（商標）プリントヘッド７０５への侵入を防止する。カートリッジ６２７内にエアフィルタ６３６を組み込むことによって、フィルタの動作寿命がカートリッジの寿命に効果的に関連づけられる。これにより、必要な間隔でフィルタを洗浄または交換するユーザに頼るのではなく、フィルタをカートリッジとともに交換されることになる。また、接着剤および赤外インクは、可視インクおよびエアフィルタとともに補給されることによって、消費材の消耗によるプリンタ動作の中断の頻度が低減される。
【０１６８】
カートリッジ６２７は、薄肉ケース６４０を有する。インク袋６３１〜６３５および固着剤袋６４４は、カートリッジを留めるピン６４５によってケース内に懸垂される。単一の接着剤袋６３０は、ベース型６３７に収容される。これは、３０００ページ（１５００シート）を印刷・接着する能力を有する完全にリサイクル可能な製品である。
【０１６９】
（基体）
上述のように、本発明の染料は、Ｈｙｐｅｒｌａｂｅｌ（商標）およびネットページシステムにおける使用に特に好適である。当該システムは、以下、およびその全体が参照により本明細書に組み込まれている上記の特許出願により詳しく記載されている。
【０１７０】
したがって、本発明は、上記のＩＲ吸収染料が配置された基体を提供する。好ましくは、基体は、界面を含む。好ましくは、染料は、ネットページおよび／またはＨｙｐｅｒｌａｂｅｌ（商標）システムに好適に使用される符号化データの形態で配置される。例えば、符号化データは、品目の識別情報を示していてもよい。好ましくは、符号化データは、基体の界面の実質的な部分（基体の２０％、５０％または９０％を上回る部分）に配置される。
【０１７１】
好ましくは、基体は、その上に配置された染料を感知デバイスで検出できるようにＩＲ反射性を有する。基体は、プラスチック（例えばポリオレフィン、ポリエステルおよびポリアミド等）、紙、金属またはそれらの組合せなどの任意の好適な材料で構成されていてもよい。
【０１７２】
ネットページ用途では、基体は、好ましくは紙である。Ｈｙｐｅｒｌａｂｅｌ（商標）用途では、基体は、好ましくはタグ、ラベル、包装材料、または品目の表面である。典型的には、タグおよびラベルは、プラスチック、紙、またはそれらの組合せで構成される。
【０１７３】
本発明のＨｙｐｅｒｌａｂｅｌ（商標）用途によれば、基体は、感知デバイスおよびコンピュータシステムを介してユーザと対話するように構成された対話式製品であってもよく、対話式製品は、
識別情報を有する品目と、
品目に付随し、品目に関する情報、および品目の識別情報を示す符号化データが表示された界面であって、前記符号化データは、上述のＩＲ吸収染料を含む界面とを備える。
【０１７４】
（ネットページおよびＨｙｐｅｒｌａｂｅｌ（商標））
本発明のネットページ用途については、上記の本発明の第６および第７の態様で概ね説明されている。本発明のＨｙｐｅｒｌａｂｅｌ（商標）用途については、上記の本発明の第８および第９の態様で概ね説明されている。
【０１７５】
次に、ネットページおよびＨｙｐｅｒｌａｂｅｌ（商標）を詳細に説明する（注：Ｍｅｍｊｅｔ（商標）およびＨｙｐｅｒｌａｂｅｌ（商標）は、Ｓｉｌｖｅｒｂｒｏｏｋ  Ｒｅｓｅａｒｃｈ  Ｐｔｙ  Ｌｔｄ（オーストラリア）の商標である）。すべての実施態様が、基本システムについて以下に考察する具体的な内容および範囲のすべてまたは大半を必ずしも具体化するものでないことが理解されるであろう。しかし、本発明の好ましい実施形態および態様が機能する脈絡を理解することを試みる際に、外部参照の必要性を抑えるために、システムを最も完全な形態で説明する。
【０１７６】
簡潔に要約すると、ネットページシステムの好ましい形態は、マップ表面、すなわちコンピュータシステムに維持された表面のマップの参照を含む物理的表面の形態のコンピュータインターフェースを採用する。マップ参照は、適切な感知デバイスによって検索されうる。具体的な実施態様に応じて、マップ参照を可視的または不可視的に符号化することができ、マップ表面に対する局所的検索により、マップ内およびマップ間での明瞭なマップ参照が生成されるように定めることができる。コンピュータシステムは、マップ表面の特徴に関する情報を収容することが可能であり、マップ表面とともに使用される感知デバイスによって供給されるマップ参照に基づいて当該情報を検索することが可能である。したがって、検索された情報は、オペレータの表面特徴との対話に応じて、オペレータの代わりにコンピュータシステムによって開始される行動の形態をとることが可能である。
【０１７７】
その好ましい形態において、ネットページシステムは、ネットページの生成、および人間によるネットページとの対話に依存する。これらは、普通紙に印刷されるテキスト、図形および画像であるが、対話式ウェブページのように機能する。情報は、人間の裸眼には実質的に不可視のインクを使用して各ページに符号化される。しかし、インク、そして符号化データを光撮像ペンによって感知し、ネットページシステムに送信することが可能である。
【０１７８】
好ましい形態において、各ページ上の活性ボタンおよびハイパーリンクをペンでクリックして、ネットワークからの情報を要求し、または参照をネットワークサーバに伝えることが可能である。一実施形態において、ネットページ上に手で書かれたテキストが自動的に認識され、ネットページシステムにおけるコンピュータテキストに変換されて、書式を埋めることを可能にする。他の実施形態において、ネットページに記録された署名が、自動的に検証されて、電子商取引を安全に認証することを可能にする。
【０１７９】
図１に示されるように、印刷ネットページ１は、印刷ページに物理的に、かつペンとネットページシステムの間の通信を介して、「電気的に」、ユーザが埋めることができる対話式書式を表すことが可能である。例は、氏名および住所欄、ならびに提出ボタンを含む「申請」書式を示している。ネットページは、可視インクを使用して印刷された図形データ２と、不可視インクを使用してタグ４の集合体として印刷された符号化データ３とからなる。ネットページネットワーク上に格納された対応するページ記述５は、ネットページの個々の要素を記述する。特に、各対話式要素（すなわち例におけるテキスト欄またはボタン）の種類および空間的範囲（ゾーン）を記述して、ネットページシステムが、ネットページを介して入力を精確に解釈することを可能にする。例えば、提出ボタン６は、対応する図形８の空間的範囲に対応するゾーン７を有する。
【０１８０】
図２に示されるように、その好ましい形態が図６および７に示され、以下により詳細に記載されているネットページペン１０１は、パーソナルコンピュータ（ＰＣ）、ウェブ端末７５またはネットページプリンタ６０１と連係して働く。ネットページプリンタは、家庭、事務所またはモバイル用途のためのインターネット接続印刷機器である。ペンは、無線であり、短距離無線リンク９を介してネットページネットワークと安全に通信する。短距離通信は、ＰＣ、ウェブ端末またはネットページプリンタに埋め込まれるか、または個別の中継デバイス４４によって提供されるローカル中継機能によってネットページネットワークに中継される。中継機能は、短距離および長距離通信機能の双方を組み込む移動電話または他のデバイスによっても提供されうる。
【０１８１】
他の実施形態において、ネットページペンは、ＰＣ、ウェブ端末、ネットページプリンタまたは中継デバイスに対するＵＳＢまたは他の直列接続などの有線接続を利用する。
【０１８２】
その好ましい形態が図９から１１に示され、以下により詳細に記載されているネットページプリンタ６０１は、いずれも対話式ネットページとして高品質に印刷された個人化新聞、雑誌、カタログ、パンフレットおよび他の刊行物を周期的またはオンデマンドで配信することができる。パーソナルコンピュータと異なり、ネットページプリンタは、ユーザの台所内、朝食の食卓付近、または家庭の一日の出発点付近などの朝のニュースが最初に消費される場所の近くに例えば壁掛けされうる機器である。それは、テーブルトップ、デスクトップ、携帯およびミニチュアバージョンの形でも入手される。
【０１８３】
それらの消費点で印刷されたネットページは、紙の使いやすさと、適時性および対話式媒体との対話性とを兼ね備える。
【０１８４】
図２に示されるように、ネットページペン１０１は、印刷ネットページ１（または品目２０１）上の符号化データと対話し、その対話を短距離無線リンク９を介して中継器に伝達する。中継器は、その対話を解釈に向けて該当するネットページページサーバ１０に送る。適切な状況において、ページサーバは、対応するメッセージをネットページアプリケーションサーバ１３上で実行されるアプリケーションコンピュータソフトウェアに送る。次に、アプリケーションサーバは、発信元プリンタで印刷される応答を送ることができる。
【０１８５】
代替的な実施形態において、ＰＣ、ウェブ端末、ネットページプリンタまたは中継デバイスは、ローカルまたは遠隔ウェブサーバを含むローカルまたは遠隔アプリケーションソフトウェアと直接通信することができる。関連して、出力は、ネットページプリンタによる印刷に限定されない。出力をＰＣまたはウェブ端末に表示することも可能であり、対話は、紙ベースではなく、画面ベース、またはそれらの組合せでありうる。
【０１８６】
ネットページシステムは、高速マイクロエレクトロメカニカルシステム（ＭＥＭＳ）ベースのインクジェット（Ｍｅｍｊｅｔ（商標））プリンタと併用することによって、好ましい実施形態においてはるかに便利になる。この技術の好ましい形態において、比較的高速および高品質印刷が、消費者にとってより手頃になる。その好ましい形態において、ネットページ刊行物は、容易なナビゲーションおよび快適な操作のために装丁された、両側に完全色で印刷された一連の文字サイズ光沢ページなどの、伝統的なニュース雑誌の物理的特徴を有する。
【０１８７】
ネットページプリンタは、可用性が増大するブロードバンドインターネットアクセスを利用する。米国の家庭の９５％が、ケーブルサービスを利用することができ、そのうちの２０％が、ブロードバンドインターネットアクセスを提供するケーブルモデムサービスを既に利用できる。ネットページプリンタは、より低速の接続で動作することも可能であるが、配信時間が長く、画質も低下する。実際、既存の消費者向けインクジェットおよびレーザプリンタを使用してネットページシステムを使用可能にできるが、システムが、より低速になるため、消費者の立場からはより受け入れがたいものとなる。他の実施形態において、ネットページシステムは、プライベートイントラネット上で運用される。さらに他の実施形態において、ネットページシステムは、単一のコンピュータ、またはプリンタなどのコンピュータ動作可能デバイス上で運用される。
【０１８８】
ネットページネットワーク上のネットページパブリケーションサーバ１４は、印刷品質の刊行物をネットページプリンタに配信するように構成される。定期刊行物は、ポイントキャスティングおよびマルチキャスティングインターネットプロトコルを介して、購読するネットページプリンタに自動的に配信される。個人化刊行物は、フィルタリングされ、個々のユーザプロフィルに応じてフォーマットされる。
【０１８９】
ネットページプリンタを任意の数のペンを支えるように構成することが可能であり、ペンは、任意の数のネットページプリンタとともに機能することが可能である。好ましい実施態様において、各ネットページペンは、固有の識別子を有する。家庭は、家族の各メンバーに１つずつ割り当てられる着色ネットページの集合を有することができる。これにより、各ユーザは、ネットページパブリケーションサーバまたはアプリケーションサーバに対して特異的なプロフィルを維持することが可能になる。
【０１９０】
ネットページペンをネットペ−ジ登録サーバ１１で登録し、１つまたは複数の支払カード勘定とリンクさせることも可能である。これにより、ネットページペンを使用して、電子商取引の支払を安全に認証することが可能になる。ネットページ登録サーバは、ネットページペンで取り込まれた署名を既に登録されている署名と比較して、電子商取引サーバに対するユーザの識別情報を認証することを可能にする。他の生体計測を用いて、識別情報を検証することも可能である。ある種のネットページペンは、ネットページ登録サーバによる方法と同様にして検証される指紋走査を含む。
【０１９１】
ネットページプリンタは、ユーザ干渉を介さずに朝刊などの刊行物を配信することができるが、不要な迷惑メールを配信しないように構成することが可能である。その好ましい形態において、申し込まれた、または認証された発信源からの刊行物のみを配信する。この点において、ネットページプリンタは、電話番号または電子メールアドレスを知っている迷惑メーラに見えるファクシミリまたは電子メール取引とは異なる。
【０１９２】
（１．ネットページシステムアキテクチャ）
システムにおける各オブジェクトモデルは、統一モデリング言語（ＵＭＬ）クラスダイアグラムを用いて記述される。クラスダイアグラムは、関係によって接続されたオブジェクトクラスの集合体からなり、ここでは２種類の関係、すなわち連合および総合が対象となる。連合は、オブジェクト間のある種の関係、すなわちクラスのインスタンス間の関係を表す。総合は、実際のクラスに関し、以下のように理解することができる。クラスがそのクラスのすべてのオブジェクトの集合体であると考えられ、クラスＡがクラスＢの総合である場合は、Ｂは、単にＡの部分集合である。ＵＭＬは、二次的なモデリング、すなわちクラスのクラスを直接支えることはない。
【０１９３】
各クラスは、クラスの名称がラベルされた長方形である。それには、水平線によって名称と分離されたクラスの属性のリスト、および水平線によって属性リストと分離されたクラスの動作のリストが収容される。しかし、続くクラスダイアグラムでは、動作がモデル化されることはない。
【０１９４】
連合は、それぞれの末端が連合の多重度で場合によってラベルされた、２つのクラスを合わせる線として描かれる。デフォルト多重度は１である。星印（＊）は、「多く」の多重度、すなわち０以上を示す。各連合は、その名称で場合によってラベルされ、それぞれの末端が対応するクラスの役割で場合によってラベルされる。開いた菱形は、凝集連合（「の一部である」）を示し、連合線の凝集物末端に描かれる。
【０１９５】
総合関係（「である」）は、２つのクラスを合わせる実線として描かれ、総合末端に矢印（開いた三角形の形態）が存在する。
【０１９６】
クラスダイアグラムが多数のダイアグラムに分解される場合は、複製される任意のクラスが、それを定める主要ダイアグラムを除いてすべて破線の輪郭で示される。それは、定められる場合にのみ属性で示される。
【０１９７】
（１．１  ネットページ）
ネットページは、その上にネットページネットワークが構築される土台である。ネットページは、公開された情報および対話式サービスに対する紙ベースのユーザインターフェースを提供する。
【０１９８】
ネットページは、ページのオンライン記述に関して不可視的にタグ付けされた印刷ページ（または他の表面領域）からなる。オンラインページ記述は、ネットページページサーバによって永続的に維持される。ページ記述は、テキスト、図形および画像を含むページの可視的なレイアウトおよび内容を記述する。それは、ボタン、ハイパーリンクおよび入力フィールドを含むページ上の入力要素をも記述する。ネットページは、ネットページペンでその表面に作成されたマークをネットページシステムによって同時に取り込み、処理することを可能にする。
【０１９９】
多数のネットページが、同一のページ記述を共用することが可能である。しかし、さもなければ同一のページを介する入力を区別することを可能にするために、各ネットページが固有のページ識別子に割り当てられる。このページＩＤは、非常に多くのネットページを区別するのに十分な精度を有する。
【０２００】
ページ記述に対する各参照が、印刷タグで符号化される。タグは、それが表示される固有のページを識別することにより、ページ記述を間接的に識別する。タグは、ページ上のそれ自体の位置をも識別する。
【０２０１】
タグは、普通紙などの赤外反射性の任意の基体上に赤外吸収性インクで印刷される。近赤外波長は人間の目に不可視であるが、適切なフィルタを有する固体画像センサによって容易に感知される。
【０２０２】
タグは、ネットページペンにおけるエリア画像センサによって感知され、タグデータは、最も近いネットページプリンタを介してネットページシステムに送信される。ペンは、ワイヤレスであり、短距離無線リンクを介してネットページプリンタと通信する。タグは、一回のクリックでも少なくとも１つのタグをページ上に確実に撮像できるように十分に小さく、かつ密に配置される。対話は無国籍であるため、ペンは、ページとの対話毎にページＩＤおよび位置を認識することが重要である。タグは、誤差補正可能に符号化されて、表面損傷に対して部分的に耐性が与えられる。
【０２０３】
ネットページページサーバは、印刷ネットページ毎に固有のページインスタンスを維持して、印刷ネットページ毎に、ページ記述での入力フィールドに対するユーザ供給値の異なる集合体を維持することを可能にする。
【０２０４】
ページ記述と、ページインスタンスと、印刷ネットページの関係を図４に示す。印刷ネットページは、印刷ネットページ文書４５の一部であってもよい。ページインスタンスは、それを印刷したネットページプリンタ、および知られている場合は、それを要求したネットページユーザの双方に対応づけられる。
【０２０５】
図４に示されるように、１つまたは複数のネットページを、例えば、品目のラベル、包装または実質的な表面に印刷する場合は、物理的なオブジェクトに対応づけることもできる。
【０２０６】
（１．２  ネットページタグ）
（１．２．１  タグデータコンテンツ）
好ましい形態において、各タグは、それが表示される領域、その領域内におけるそのタグの場所を識別する。タグは、領域全体またはタグに関するフラグを含んでいてもよい。１つまたは複数のフラグビットは、例えば、タグ感知デバイスに信号を送って、タグの直接的な部分に対応づけられる機能を示すフィードバックを提供することができ、感知デバイスが、領域の記述を参照する必要がなくなる。ネットページペンは、例えば、ハイパーリンクのゾーンに存在するときは「活性部」ＬＥＤを照明することができる。
【０２０７】
以下のより明確に説明されるように、好ましい実施形態において、各タグは、初期検出を支援し、表面、または感知処理によって誘発された任意の反りの影響を最小限にする上で役立つ、容易に認識される不変構造体を含む。タグは、好ましくは、ページ全体を埋め、一回のクリックでも少なくとも１つのタグをページ上に確実に撮像できるように十分に小さく、かつ密に配置される。対話は無国籍であるため、ペンは、ページとの対話毎にページＩＤおよび位置を認識することが重要である。
【０２０８】
好ましい実施形態において、タグが示す領域は、ページ全体と一致するため、タグで符号化された領域ＩＤは、タグが表示されるページのページＩＤと同義である。他の実施形態において、タグが示す領域は、ページまたは他の表面の任意の小領域でありうる。例えば、それは、対話式要素のゾーンと一致し、その場合は、領域ＩＤは、対話式要素を直接識別することが可能である。
【０２０９】
好ましい形態において、各タグは、１２０ビットの情報を含む。領域ＩＤは、典型的には、１００ビットまでが割り当てられ、タグＩＤは、少なくとも１６ビットが割り当てられ、残りのビットは、フラグ等に割り当てられる。タグ密度が、１平方インチ当たり６４であると仮定すると、１６ビットタグは、１０２４平方インチまでの領域サイズを支える。接合領域およびマップを単に使用することによって、タグＩＤ精度を高めることなく、より大きい領域を連続的にマッピングすることが可能である。１００ビット領域ＩＤは、２１００（約１０３０または無数）の異なる領域を一意的に識別することを可能にする。
【０２１０】
（１．２．２  タグデータ符号化）
一実施形態において、（１５，５）リードソロモン符号を用いて、１２０ビットのタグデータが冗長に符号化される。これによって、それぞれ６コードワードの１５の４ビット記号からなる３６０の符号化ビットが生成される。（１５，５）コードは、５つまでの記号誤差をコードワード毎に補正することを可能にする。すなわち、コードワード毎に３３％までの記号誤差率を許容する。
【０２１１】
各４ビット記号は、タグにおいて空間干渉的に表され、６つのコードワードの記号が、タグ内で空間的に介在される。これにより、突発的誤差（空間的に隣り合う多数のビットに影響する誤差）により損傷を受ける全体の記号の数、およびいずれか１つのコードワードにおける記号の数が最小限に抑えられるため、突発的誤差を完全に補正できる確率が最大になる。
【０２１２】
（１５，５）リードソロモン符号の代わりに、任意の好適な誤差補正符号、例えば、同一または異なる記号およびコードワードサイズを有する多少冗長性を伴うリードソロモン符号、他のブロック符号、または畳込み符号（例えば、その内容が参照により本明細書に組み込まれているＳｔｅｐｈｅｎ  Ｂ．Ｗｉｃｋｅｒ；Ｅｒｒｏｒ  Ｃｏｎｔｒｏｌ  Ｓｙｓｔｅｍｓ  ｆｏｒ  Ｄｉｇｉｔａｌ  Ｃｏｍｍｕｎｉｃａｔｉｏｎ  ａｎｄ  Ｓｔｏｒａｇｅ、Ｐｒｅｎｔｉｃｅ−Ｈａｌｌ  １９９５参照）などの異なる種類の符号を用いることが可能である。
【０２１３】
感知デバイスを介するタグ化領域との「単一クリック」対話を支えるために、感知デバイスは、それがどの領域に、またはどの方向に位置しようとも、少なくとも１つのタグ全体をその視野にとらえることができなければならない。したがって、感知デバイスの視野の必要な直径は、タグのサイズおよび間隔の関数である。
【０２１４】
（１．２．３  タグ構造）
図５ａは、４つの透視目標１７を有するタグ７２６の形態でタグ４を示す図である。タグ７２６は、合計で２４０ビットに対応する６０の４ビットリードソロモン記号７４７を表す。タグは、マクロドットと呼ばれるマーク７４８の存在により各「１」、および対応するマクロドットの不在による各「０」を表す。図５ｃは、例示を目的としていずれも「１」ビットを含む９つのタグの正方形タイリング７２８を示す図である。透視目標は、隣り合うタグ間で共用されるように設計されることに留意する。図５ｄは、１６のタグの正方形タイリング、および２つのタグにまたがる対応する最小視野１９３を示す図である。
【０２１５】
（１５，７）リードソロモン符号を用いて、１１２ビットのタグデータを冗長に符号化して、２４０の符号化ビットを生成する。４つのコードワードが、タグ内で空間的に介在されて、突発的誤差の回復力を最大限にする。先述のように１６ビットタグＩＤを想定すると、９２ビットまでの領域ＩＤが可能になる
【０２１６】
タグのデータ担持マクロドット７４８は、タグ群が、目標に類似した構造体を生成できないように、隣同士で重ならないように設計される。これによってインクも節約される。透視目標か、タグの検出を可能にするため、さらなる目標を必要としない。
【０２１７】
タグは、センサに対して相対的なタグの４つの可能な方向の明確化を可能にする方向特徴を含むが、本発明は、タグデータへの方向データの埋込みに関わる。例えば、各タグ方向（回転方向）が、図５ａに示されるように、その方向に配置される１つのコードワードを含み、各記号が、そのコードワードの番号（１〜４）およびコードワード内の記号の位置（Ａ〜Ｏ）でラベル付けされるように４つのコードワードを配列することが可能である。次いで、タグ復号は、各回転方向で１つのコードワードを復号することからなる。各コードワードは、それが第１のコードワードかどうかを示す単一ビット、またはそれがどのコードワードかを示す２つのビットを含むことができる。後者のアプローチは、所謂、１つのコードワードのみのデータコンテンツが必要とされる場合は、所望のデータを得るのに最大でも２つのコードワードを復号すればよいという利点がある。これは、領域ＩＤがストローク内で変化することが想定されず、ストロークの開始時にのみ復号される場合に当てはまる。ストローク内では、タグＩＤを含むコードワードのみが望まれる。また、感知デバイスの回転は、ストローク内でゆっくりと周期的に変化するため、典型的には、フレーム毎に１つのコードワードのみを復号すればよい。
【０２１８】
透視目標を一切不要とし、その代わりに、データ表現が自己登録であることに依存することが可能である。この場合、各ビット値（または多ビット値）は、典型的には、明示的なグリフによって表現される。すなわち、ビット値は、グリフの不在によって表現されない。これにより、データグリッドが良好に取り込まれるため、グリッドを確実に識別することが可能になり、その透視歪が検出され、続いてデータサンプリング中に補正される。タグ境界を検出することを可能にするために、各タグデータは、マーカパターンを含み、これらは、確実な検出を可能にするために、冗長に符号化されなければならない。当該マーカパターンのオーバヘッドは、明示的透視目標のオーバヘッドに類似している。様々な当該スキームが、２００１年１０月１１日に出願された本出願人の同時係属出願ＰＣＴ出願ＰＣＴ／ＡＵ０１／０１２７４に記載されている。
【０２１９】
図５ｃの配置７２８は、正方形タグ７２６を使用して、任意のサイズの平面を完全に埋める、または埋め尽くす、すなわち間隙や重複がないように埋めることができることを示している。
【０２２０】
好ましい実施形態では、本明細書に記載されているタグ付けスキームは、単一の非差別化マクロドットの存在または不在を利用して単一データを符号化するが、２００１年１０月１１日に出願された本出願人の同時係属ＰＣＴ出願ＰＣＴ／ＡＵ０１／０１２７４に示されたグリフの集合体などの差別化されたグリフの集合体を使用して、単一ビットまたは多ビット値を表すことも可能である。
【０２２１】
（１．３  ネットページネットワーク）
好ましい実施形態において、ネットページネットワークは、図３に示すように、インターネットなどのネットワーク１９を介して接続されたネットページページネットサーバ１０、ネットページ登録サーバ１１、ネットページＩＤサーバ１２、ネットページアプリケーションサーバ１３、ネットページパブリケーションサーバ１４、ウェブ端末７５、ネットページプリンタ６０１および中継デバイス４４の分散集合体からなる。
【０２２２】
ネットページ登録サーバ１１は、ユーザ、ペン、プリンタ、アプリケーションおよびパブリケーションの間の関係を記録することによって、様々なネットワーク活動を許可するサーバである。それは、ユーザを認証し、アプリケーショントランザクションにおいて、認証されたユーザの代わりに署名代理人として働く。手書き認知サービスをも提供する。上述のように、ネットページページサーバ１０は、ページ記述およびページインスタンスに関する永続的情報を維持する。ネットページネットワークは、それぞれがページインスタンスの部分集合体を扱う任意の数のページサーバを含む。ページサーバは、ページインスタンス毎のユーザ入力値をも維持するため、ネットページプリンタなどのクライアントは、ネットページ入力を適切なページサーバに直接送る。ページサーバは、対応するページの記述に対して任意の当該入力を解釈する。
【０２２３】
ネットページＩＤサーバ１２は、文書ＩＤ５１をオンデマンドで割り当て、ＩＤ割当てスキームを介してページサーバの負荷平衡を提供する。
【０２２４】
ネットページプリンタは、インターネット分散ネームシステム（ＤＮＳ）等を使用して、対応するページインスタンスを扱うネットページページサーバのネットワークアドレスにネットページページＩＤ５０を分解する。
【０２２５】
ネットページアプリケーションサーバ１３は、対話式ネットページアプリケーションのホストとなるサーバである。ネットページパブリケーションサーバ１４は、ネットページ文書をネットページプリンタに発行するアプリケーションサーバである。
【０２２６】
ネットページサーバは、ＩＢＭ、Ｈｅｗｌｅｔ−ＰａｃｋａｒｄおよびＳｕｎなどの製造元からの様々なネットワークサーバプラットフォーム上で動作することが可能である。多数のネットページサーバが、単一のホスト上で同時に動作することが可能であり、単一のサーバをいくつかのホストに分散させることが可能である。ネットページサーバによって提供された機能、特にＩＤサーバおよびページサーバによって提供された機能を、ネットページプリンタなどのネットページ機器、コンピュータワークステーション、またはローカルネットワークに直接設けることも可能である。
【０２２７】
（１．４  ネットページプリンタ）
ネットページプリンタ６０１は、ネットページシステムに登録され、オンデマンドおよび購読を介してネットページ文書を印刷する機器である。各プリンタは、固有のプリンタＩＤ６２を有し、インターネットなどのネットワークを介して、理想的にはブロードバンド接続を介して、ネットページネットワークに接続される。
【０２２８】
不揮発性メモリにおける識別情報およびセキュリティ設定とは別に、ネットページプリンタは、永続的な記憶を含まない。ユーザに関する限り、「ネットワークはコンピュータである」。ネットページは、特定のネットページプリンタから独立して、分散ネットページページサーバ１０を利用して、空間および時間を通じて対話的に機能する。
【０２２９】
ネットページプリンタは、ネットページパブリケーションサーバ１４から購読ネットページ文書を受け取る。各文書は、２つの部分、すなわちページレイアウトと、ページを占める実際のテキストおよび画像オブジェクトに分散される。個人化により、ページレイアウトは、典型的には、特定の購読者に固有のものであるため、適切なページサーバを介して購読者のプリンタにポイントキャストされる。一方、テキストおよび画像オブジェクトは、典型的には、他の購読者に共用されるため、すべての購読者のプリンタおよび適切なページサーバにマルチキャストされる。
【０２３０】
ネットページパブリケーションサーバは、文書コンテンツのポイントキャストおよびマルチキャストへの分割を最適化する。文書のページレイアウトのポイントキャストを受け取った後に、プリンタは、マルチキャストがあれば、どのマルチキャストに注目すべきかを把握する。
【０２３１】
プリンタが、印刷すべき文書を定める完全なページレイアウトおよびオブジェクトを受け取ると、文書を印刷することが可能になる。
【０２３２】
プリンタは、奇数ページおよび偶数ページをラスタ化し、シートの両面に同時に印刷する。それは、二重印刷エンジンコントローラ７６０、およびこの目的でＭｅｍｊｅｔ（商標）プリントヘッド３５０を利用するプリントエンジンを含む。
【０２３３】
印刷処理は、２つの分離段階、すなわちページ記述子のラスタ化、およびページ画像の拡大および印刷からなる。ラスタ画像プロセッサ（ＲＩＰ）は、並列動作する１つまたは複数の標準ＤＳＰ７５７からなる。二重印刷エンジンコントローラは、プリントエンジンにおけるプリントヘッドの動作に同期して、ページ画像をリアルタイムで拡大、縮小、印刷するカスタムプロセッサからなる。
【０２３４】
ＩＲ印刷に使用できないプリンタは、ＩＲ吸収黒色インクを使用してタグを印刷するオプションを有するが、これは、タグをそうでなければページの空の部分に限定する。当該ページは、ＩＲ印刷ページより機能が制限されるが、それでもネットページとして分類される。
【０２３５】
通常のネットページプリンタは、紙にネットページを印刷する。より特殊化されたネットページプリンタは、球体などのより特殊化された表面に印刷することができる。各プリンタは、少なくとも１つの表面型をサポートし、各表面型について、少なくとも１つのタグタイリングスキーム、そしてタグマップをサポートする。文書を印刷するのに実際に用いられるタグタイリングを記述するタグマップ８１１は、文書のタグを精確に解釈できるように、その文書に対応づけられる。
【０２３６】
図２は、ネットページネットワーク上で登録サーバ１１によって維持されるプリンタ関連情報を反映するネットページプリンタクラスダイアグラムを示す図である。
【０２３７】
（１．５  ネットページペン）
ネットページシステムの活性感知デバイスは、典型的には、埋込みコントローラ１３４を使用して、画像センサを介して、ページからのＩＲ位置タグを取り込み、復号することができるペン１０１である。画像センサは、近赤外波長でのみ感知を可能にする適切なフィルタが設けられた固体デバイスである。以下により詳細に記載するように、システムは、ニブがいつ表面に接触するかを感知し、ペンは、人間による手書きを取り込むのに十分な測度（すなわち２００ｄｐｉ以上で、１００Ｈｚ以上）でタグを感知することができる。ペンによって取り込まれた情報は、暗号化され、プリンタ（または基地局）に無線送信され、プリンタまたは基地局は、（知られている）ページ構造に対してデータを解釈する。
【０２３８】
ネットページペンの好ましい実施形態は、通常のマーキングインクペンとしても、非マーキングスタイラスとしても動作する。しかし、マーキング態様は、インターネットインターフェースとして使用される場合等は、ブラウジングシステムとしてネットページシステムを使用するのに必要ではない。各ネットページペンは、ネットページシステムに登録され、固有のペンＩＤ６１を有する。図１４は、登録サーバ１１によりネットページネットワーク上に維持されるペン関連情報を反映するネットページペンクラスダイアグラムを示す図である。
【０２３９】
いずれかのニブがネットページに接触すると、ペンは、ページに対するその位置および方向を確認する。ニブは、力覚センサに結合され、ニブに対する力は、閾値に対して相対的に解釈されて、ペンが「上向き」であるか「下向き」であるかを示す。これは、所謂ネットワークからの情報を要求するために、ページ上の対話式要素をペンニブで押し下げることによって「クリック」することを可能にする。また、力を連続値として取り込んで、所謂、署名の全動態を検証することを可能にする。
【０２４０】
ペンは、ニブ付近のページの部分１９３を赤外スペクトルにおいて撮像することによって、ネットページ上のそのニブの位置および方向を確認する。ペンは、最も近いタグを復号し、撮像タグ上の観察された透視歪、およびペン光学素子の知られている幾何学構造から、タグに対するニブの位置を計算する。タグの位置解像度が低くても、ページ上のタグ密度は、タグサイズに逆比例するため、調節された位置解像度は極めて高く、正確な手書き認識に必要とされる最小限の解像度を上回る。
【０２４１】
ネットページに対するペン作用は、一連のストロークとして取り込まれる。ストロークは、ペン下げ事象によって開始され、ペン上げ事象によって終了するページ上の刻時ペン位置のシーケンスからなる。ストロークは、また、通常の状況下ではストロークの開始時のページＩＤの変化が生じると常にネットページのページＩＤ５０でタグ付けされる。
【０２４２】
各ネットページペンは、カレントセレクション８２６が対応づけられており、ユーザが、コピーアンドペースト処理等を行うことを可能にする。セレクションは、規定時間後にシステムがそれを破棄することができるように、刻時されている。カレントセレクションは、ページインスタンスの領域を記述する。それは、ページの背景部に対してペンを通じて取り込まれた最近のデジタルインクストロークからなる。それは、選択ハイパーリンク活性化を介してアプリケーションに提出されると、アプリケーションに特異的に解釈される。
【０２４３】
各ペンは、カレントニブ８２４を有する。ペンによってシステムに最後に通知されたニブである。上述のデフォルトネットページペンの場合は、マーキング黒色インクニブも非マーキングスタイラスニブもカレントである。各ペンは、カレントニブスタイル８２５をも有する。これは、例えば、ユーザがパレットから色を選択するのに応じて、アプリケーションによりペンに最後に対応づけられたニブスタイルである。デフォルトニブスタイルは、カレントニブに対応づけられたニブスタイルである。ペンを通じて取り込まれたストロークは、カレントニブスタイルでタグ付けられる。続いてストロークが再現されるときは、それらにタグ付けされるニブスタイルで再現される。
【０２４４】
ペンが、通信できるプリンタの範囲内にあるときは、常に、ペンはその「オンライン」ＬＥＤをゆっくりと点滅させる。ペンが、ページに対するストロークの復号に失敗すると、即座に「エラー」ＬＥＤを活性化させる。ペンが、ページに対するストロークの復号に成功すると、即座に「ｏｋ」ＬＥＤを活性化させる。
【０２４５】
取り込まれたストロークのシーケンスをデジタルインクと呼ぶ。デジタルインクは、手書きのオンライン認識、および署名のオンライン検証のための描画および手書きのデジタル交換の基礎を形成する。
【０２４６】
ペンは、ワイヤレスであり、短距離無線リンクを介してデジタルインクをネットページプリンタに送信する。送信されたデジタルインクは、プライバシおよびセキュリティのために暗号化され、効率的な送信のためにパケット化されるが、プリンタにおける適時的な操作を保証するために、ペン上げ事象に応じて常に流れている。
【０２４７】
ペンが、プリンタの範囲外にあるときは、１０分間以上の連続的な手書きの能力を有する内部メモリにデジタルインクをバッファリングする。ペンが、再びプリンタの範囲に入ると、バッファリングされたデジタルインクを転送する。
【０２４８】
ペンは、任意の数のプリンタに登録されうるが、すべての状態データが紙およびネットワークの双方に残留するため、特定時間にペンがどのプリンタと通信するかは重要ではない。
【０２４９】
図６から８を参照して、ペンの好ましい実施形態を以下により詳細に説明する。
【０２５０】
（１．６  ネットページ対話）
ネットページプリンタ６０１は、ペンがネットページ１との対話に使用されるときにペン１０１からストロークに関するデータを受け取る。タグ４の符号化データ３は、ストロークなどの移動を実行するのに使用されるときにペンによって読み取られる。そのデータは、特定のページおよびそれに対応づけられる対話式要素の識別情報を確認し、ページに対するペンの相対位置の指示を得ることを可能にする。その指示データは、プリンタに送信され、そこで、ＤＮＳを介して、ストロークのページＩＤ５０を、対応するページインスタンス８３０を維持するネットページページサーバ１０のネットワークアドレスに分解する。次いで、ストロークをページサーバに送信する。ページが最近より早いストロークで識別された場合は、プリンタは、そのキャッシュに該当するページサーバを既に有することができる。各ネットページは、ネットページページサーバによって永続的に維持されるコンパクトページレイアウトからなる（以下参照）。ページレイアウトとは、典型的にはネットページネットワーク上の他の場所に記憶された画像などのオブジェクト、テキストのフォントおよびピースを意味する。
【０２５１】
ページサーバは、ペンからストロークを受け取ると、ストロークが適応するページ記述を検索し、ページ記述のどの要素にストロークが交差するかを確認する。次いで、該当する要素の種類の脈絡でストロークを解釈することができる。
【０２５２】
「クリック」は、ペン下げ位置と続くペン上げ位置の間の距離および時間が、ともにある小さい最大値を下回る場合のストロークである。クリックによって活性化されるオブジェクトは、典型的には、クリックを活性化することを必要とし、応じてより長いストロークが無視される。「スロッピー」クリックなどのペン作用の登録の失敗は、ペンの「ｏｋ」ＬＥＤからの応答の欠如によって示される。
【０２５３】
ネットページページ記述には、ハイパーリンクと書式フィールドの２種類の入力要素がある。書式フィールドを介する入力は、対応づけられるハイパーリンクの活性化を誘発することも可能である。
【０２５４】
（２．ネットページペンの説明）
（２．１  ペン機構）
図６および７を参照すると、参照番号１０１で一般に示されるペンは、ペン部品を取りつけるための内部空間１０４を定める壁１０３を有するプラスチック型の形態の筐体１０２を含む。ペン上部１０５は、動作に際して筐体１０２の一端１０６に回転可能に取りつけられる。半透明カバー１０７は、筐体１０２の反対側の端部１０８に固定される。カバー１０７も成型プラスチック製であり、筐体１０２内に取りつけられているＬＥＤの状態をユーザが見ることができるように半透明材料から形成される。カバー１０７は、筐体１０２の端部１０８を実質的に取り囲む主部１０９と、主部１０９から後方に突出し、筐体１０２の壁１０３に形成された対応する溝１１１内に嵌合する突出部１１０とを含む。ラジオアンテナ１１２は、筐体１０２内の突出部１１０の背後に取りつけられる。カバー１０７上の開口１１３Ａを取り囲むねじ山１１３は、対応するねじ山１１５を含む金属端ピース１１４を受けるように構成されている。金属端ピース１１４は、インクカートリッジ交換を可能にするために取り外し可能になっている。
【０２５５】
カバー１０７内部には、屈曲ＰＣＢ１１７上に三色状態ＬＥＤ１１６も取りつけられている。アンテナ１１２も屈曲ＰＣＢ１１７上に取りつけられている。状態ＬＥＤ１１６は、包括的な可視性を良好にするために、ペン１０１の上部に取りつけられている。
【０２５６】
ペンは、通常のマーキングインクペンとしても、非マーキングスタイラスとしても動作することが可能である。ニブ１１９を有するインクペンカートリッジ１１８およびスタイラスニブ１２１を有するスタイラス１２０は、筐体１０２内で並列に取りつけられている。ペン上部１０５の回転によって、インクカートリッジニブ１１９またはスタイラスニブ１２１を、金属端ピース１１４の開放端１２２を通じて前方に動かすことができる。それぞれのスライダブロック１２３および１２４は、それぞれインクカートリッジ１１８およびスタイラス１２０に取りつけられる。回転可能カム筒１２５は、動作に際してペン上部１０５に固定され、その内部で回転するように構成される。カム筒１２５は、カム筒の壁１８１内の溝の形態のカム１２６を含む。スライダブロック１２３および１２４から突出するカムフォロア１２７および１２８は、カム溝１２６内に嵌合する。カム筒１２５が回転すると、スライダブロック１２３または１２４は、互いに相対的に移動して、金属端ピース１１４における孔１２２からペンニブ１１９またはスタイラスニブ１２１を突出させる。ペン１０１は、３つの動作状態を有する。上部１０５を９０度ずつ回転させることによって、３つの状態は、以下のようになる。
・スタイラス１２０ニブ１２１アウト
・インクカートリッジ１１８ニブ１１９アウト
・インクカートリッジ１１８ニブ１１９アウトでもなく、スタイラス１２０ニブ１２１アウトでもない
【０２５７】
第２の屈曲ＰＣＢ１２９は、筐体１０２内に位置する電子シャーシ１３０に取りつけられている。第２の屈曲ＰＣＢ１２９は、表面に投射するための赤外放射線を供給するための赤外ＬＥＤ１３１を取りつける。画像センサ１３２は、表面から反射放射線を受けるために第２の屈曲ＰＣＢ１２９に取りつけられている。第２の屈曲ＰＣＢ１２９は、ＲＦトランスミッタおよびＲＦレシーバを含む無線周波チップ１３３、およびペン１０１の動作を制御するためのコントローラチップ１３４をも取りつける。（成型透明プラスチックから形成された）光学素子ブロック１３５は、カバー１０７内に位置し、赤外線ビームを表面に投射し、画像を画像センサ１３２上に受け取る。給電ワイヤ１３６は、第２の屈曲ＰＣＢ１２９上の部品を、カム筒１２５内に取りつけられている電池接触子１３７に接続する。端末１３８は、電池接触子１３７およびカム筒１２５に接続する。３ボルト充電式電池１３９は、電池接触子に接触して、カム筒１２５内に位置する。誘導充電コイル１４０は、第２の屈曲ＰＣＢ１２９の周りに取りつけられて、誘導を介する電池１３９の充電を可能にする。第２の屈曲ＰＣＢ１２９は、ペンニブ１１９またはスタイラスニブ１２１によって表面に加えられている力の測定を可能にするために、スタイラス１２０またはインクカートリッジ１１８が筆記に使用されているときにカム筒１２５における変位を検出するための赤外ＬＥＤ１４３および赤外フォトダイオード１４４をも取りつける。ＩＲフォトダイオード１４４は、スライダブロック１２３および１２４に取りつけられた反射体（不図示）を介するＩＲ  ＬＥＤ１４３からの光を検出する。
【０２５８】
ゴム製把持パッド１４１および１４２は、筐体１０２の端部１０８に向かって設けられ、ペン１０１を把持するのを支援し、上部１０５は、ペン１０１をポケットに留めるためのクリップ１４２をも含む。
【０２５９】
（３．２  ペンコントローラ）
ペン１０１は、ニブの近傍の表面の部分を赤外スペクトルにおいて撮像することによって、そのニブ（スタイラスニブ１２１またはインクカートリッジニブ１１９）の位置を確認するように構成される。それは、最も近くの所在タグからの所在データを記録し、光学素子１３５およびコントローラチップ１３４を利用して、所在タグからのニブ１２１または１１９の距離を計算するように構成される。コントローラチップ１３４は、ペンの方向、および撮像タグに観察された透視歪からのニブ−タグ距離を計算する。
【０２６０】
ペン１０１は、ＲＦチップ１３３およびアンテナ１１２を利用して、（セキュリティのために暗号化され、効率的な送信のために梱包された）デジタルインクデータをコンピューティングシステムに送信することが可能である。
【０２６１】
ペンが、レシーバの範囲にあるときは、デジタルインクデータは、形成されると送信される。ペン１０１が、範囲外に移動したときは、デジタルインクデータは、ペン１０１内にバッファリングされ（ペン１０１回路は、表面上の約１２分間のペン運動に対するデジタルインクデータを記憶するように構成されたバッファを含む）、後に送信されうる。
【０２６２】
コントローラチップ１３４は、ペン１０１における第２の屈曲ＰＣＢ１２９に取りつけられる。図８は、コントローラチップ１３４のアキテクチャをより詳細に示す構成図である。図８は、ＲＦチップ１３３、画像センサ１３２、三色状態ＬＥＤ１１６、ＩＲ照明ＬＥＤ１３１、ＩＲ力覚センサＬＥＤ１４３および力覚センサフォトダイオード１４４の図をも示す。
【０２６３】
ペンコントローラチップ１３４は、制御プロセッサ１４５を含む。バス１４６は、コントローラチップ１３４の部品の間のデータの交換を可能にする。フラッシュメモリ１４７および５１２ＫＢ  ＤＲＡＭ１４８も含まれる。アナログ−デジタル変換器１４９は、力覚センサフォトダイオード１４４からのアナログ信号をデジタル信号に変換する。
【０２６４】
画像センサインターフェース１５２は、画像センサ１３２とインターフェースする。ＲＦ回路１５５、ならびにアンテナ１１２に接続されたＲＦ共振器および誘発器１５６を含むＲＦチップ１３３とインターフェースするトランシーバコントローラ１５３およびベースバンド回路１５４も含まれる。
【０２６５】
制御プロセッサ１４５は、画像センサ１３２を介して表面からタグからの所在データを取り込んで、復号し、力覚センサフォトダイオード１４４を監視し、ＬＥＤ１１６、１３１および１４３を制御し、無線トランシーバ１５３を介して短距離ラジオ通信を操作する。それは、中能力（約４０ＭＨｚ）汎用ＲＩＳＣプロセッサである。
【０２６６】
プロセッサ１４５、デジタルトランシーバ部品（トランシーバコントローラ１５３およびベースバンド回路１５４）、画像センサインターフェース１５２、フラッシュメモリ１４７および５１２ＫＢ  ＤＲＡＭ１４８は、単一コントローラＡＳＩＣに統合される。アナログＲＦ部品（ＲＦ回路１５５ならびにＲＦ共振器および誘発器１５６）は、個別のＲＦチップに設けられる。
【０２６７】
画像センサは、ＣＣＤまたはＣＭＯＳ画像センサである。タグ付けスキームに応じて、約１００×１００画素から２００×２００画素の範囲のサイズを有する。多くの小型ＣＭＯＳ画像センサは、Ｎａｔｉｏｎａｌ  Ｓｅｍｉｃｏｎｄｕｃｔｏｒ  ＬＭ９６３０を含めて市販されている。
【０２６８】
コントローラＡＳＩＣ１３４は、ペン１０１が表面に接触していないときは、不活性期間後に休止状態に入る。力覚センサフォトダイオード１４４を監視する専用回路１５０を組み込み、ペン下げ事象に際してパワーマネージャ１５１を介してコントローラ１３４を起動させる。
【０２６９】
無線トランシーバは、コードレス電話で通常使用される無認可の９００ＭＨｚバンド、あるいは無認可の２．４ＧＨｚ工業、科学および医療（ＩＳＭ）バンドで通信し、周波数ホッピングおよび衝突検出を用いて、無干渉通信を提供する。
【０２７０】
代替的な実施形態において、ペンは、基地局またはネットページプリンタとの短距離通信のために、赤外線データ通信機能標準化協会（ＩｒＤＡ）インターフェースを組み込む。
【０２７１】
さらなる実施形態において、ペン１０１は、ペン１０１軸の直角平面に取りつけられた一対の直交加速度計を含む。加速度計１９０は、図７および８にゴースト輪郭で示されている。
【０２７２】
加速度計を設けることにより、ペン１０１の本実施形態が、表面所在タグを参照せずに、運動を感知することが可能になり、所在タグをより低速でサンプリングすることが可能になる。次いで、各所在タグＩＤは、表面上の位置ではなく、対象となるオブジェクトを識別することが可能である。例えば、オブジェクトがユーザインターフェース入力要素（例えばコマンドボタン）である場合は、入力要素の部分内の各所在タグのタグＩＤは、入力要素を直接識別することが可能である。
【０２７３】
加速度計で測定されたｘおよびｙ方向の各々における加速度は、時間について積算されて、瞬間速度および位置が求められる。
【０２７４】
ストロークの開始位置が知られているため、ストローク内の相対位置のみが計算される。位置集積は、感知された加速度計に誤差を蓄積させるが、加速度計は、典型的には高分解能を有し、誤差が蓄積するストロークの継続時間は短い。
【０２７５】
（３．ネットページプリンタの説明）
（３．１  プリンタ機構）
垂直に取りつけられたネットページ壁掛け式プリンタ６０１が完全に組み立てられた状態で図９に示されている。そのプリンタは、図１０および１０ａに示されるように、二重８・１／２”Ｍｅｍｊｅｔ（商標）印刷エンジン６０２および６０３を使用して、レター／Ａ４サイズ媒体にネットページを印刷する。それは、完全色および完全ブリードで、シートの両面を同時に印刷する二重印刷エンジン６０２および６０３を紙６０４が通る直線状の紙経路を使用する。
【０２７６】
一体の製本組立品６０５は、各印刷シートの一端に沿って一片の接着剤を塗布し、押すとシートが前のシートに接着することを可能にする。これにより、１シートから数百シートの範囲の厚さを有することができる最終的な製本文書６１８が作られる。
【０２７７】
二重印刷エンジンに結合した図１２に示される交換可能インクカートリッジ６２７は、固着剤、接着剤、ならびにシアン、マゼンタ、イエロー、ブラックおよび赤外インクを格納するための袋または室を有する。カートリッジは、ベース型のマイクロエアフィルタをも含む。マイクロエアフィルタは、ホース６３９を介してプリンタ内部のエアポンプ６３８とインターフェースする。これは、濾過空気をプリントヘッドに供給して、そうでなければプリントヘッドノズルを詰まらせる恐れがある微粒子のＭｅｍｊｅｔ（商標）プリントヘッド３５０への侵入を防止する。カートリッジ内にエアフィルタを組み込むことによって、フィルタの動作寿命がカートリッジの寿命に効果的に関連づけられる。インクカートリッジは、３０００ページ（１５００シート）を印刷・接着する能力を有する完全にリサイクル可能な製品である。
【０２７８】
図１０を参照すると、電動式媒体ピックアップローラ組立品６２６は、最上部のシートを媒体トレイから第１の印刷エンジン６０２上の紙センサを通して二重Ｍｅｍｊｅｔ（商標）プリントヘッド組立品に押し込む。２つのＭｅｍｊｅｔ（商標）印刷エンジン６０２および６０３が、直線状紙経路に沿って対向インライン順次構成で取りつけられる。紙６０４は、一体の動力ピックアップローラローラ６２６によって第１の印刷エンジン６０２に引き込まれる。紙６０４の位置およびサイズが感知され、完全ブリード印刷が開始する。固着剤が、できるだけ短時間の乾燥を支援するために同時に印刷される。
【０２７９】
紙は、ゴム製ローラに作用する動力出口スパイクホイール（直線状紙経路に沿って整列する）の集合体を通って第１のＭｅｍｊｅｔ（商標）印刷エンジン６０２を出る。これらのスパイクホイールは、「濡れた」印刷面に接触し、シート６０４を第２のＭｅｍｊｅｔ（商標）印刷エンジン６０３に連続的に供給する。
【０２８０】
図１０および１０ａを参照すると、紙６０４は、二重印刷エンジン６０２および６０３から製本組立品６０５内に移動する。印刷ページは、繊維状支持ローラによる動力スパイクホイール軸６７０と、スパイクホイールおよび瞬間作用接着剤ホイールによる他の可動軸との間を移動する。可動軸／接着剤組立品６７３は、金属支持ブラケットに取りつけられ、前方に輸送されて、カムシャフトの作用により、歯車を介して動力軸６７０とインターフェースする。別個のモータが、このカムシャフトに動力を与える。
【０２８１】
接着剤ホイール組立品６７３は、インクカートリッジ６２７からの接着剤供給ホース６４１に対する回転連結器を有する部分中空軸６７９からなる。この軸６７９は、放射状の穴を通じて毛細管作用により接着剤を吸収する接着剤ホイールに接続する。成型筐体６８２は、接着剤ホイールを取り囲み、前方に開口部を有する。枢軸側方型および弾性外扉は、金属ブラケットに接合され、組立品６７３の残りが前方に押し出されたときに、側方に開く。この作用は、成型筐体６８２の前方を通じて接着剤ホイールを露出させる。引張ばねは、組立品を閉鎖し、不活性期間中に、接着剤ホイールを効果的に覆う。
【０２８２】
シート６０４がホイール組立品６７３内に移動すると、製本組立品６０５内に輸送されるのに伴って、接着剤が（文書の第１のシートから離れた）前面の１つの垂直方向エッジに塗布される。
【０２８３】
（４．製品タグ付け）
自動識別とは、手動キーイングを用いずにデータ処理システムに対するオブジェクトを（半）自動的に識別するバーコード、磁性ストライブカード、スマートカードおよびＲＦトランスポンダなどの技術を用いることを意味する。
【０２８４】
自動識別を目的として、品目は、印刷バーコードの形態で機械読取り可能に符号化された１２桁の統一商品コード（ＵＰＣ）によって一般に識別される。最も一般的なＵＰＣナンバリングシステムは、５桁の製造元番号および５桁の品目番号である。その精度が限られているため、ＵＰＣは、個々の品目ではなく、製品群を識別するのに用いられる。統一コード委員会およびＥＡＮインターナショナルは、ＵＰＣおよび関連符号を１４桁の世界貿易品目番号（ＧＴＩＮ）の部分集合体として規定・管理している。
【０２８５】
供給連鎖管理内では、個々の品目を一意的に識別することによって追跡できるように、ＵＰＣスキームの拡大または更新に大きな関心がもたれている。個々の品目のタグ付けは、商品の紛失、盗難または破損による「目減り」を抑え、デマンド誘導型の製造および供給の効率性を向上させ、製品仕様のプロファイリングを容易にし、顧客経験を向上させることが可能である。
【０２８６】
個々の品目のタグ付けについては主たる２つの競合物、すなわち所謂二次元バーコードの形態の光学的タグと無線周波識別（ＲＦＩＤ）タグが存在する。ＲＦＩＤタグの詳細な説明については、その内容が相互参照により本明細書に組み込まれているＫｌａｕｓ  Ｆｉｎｋｅｎｚｅｌｌｅｒ、ＲＦＩＤ  Ｈａｎｄｂｏｏｋ、Ｊｏｈｎ  Ｗｉｌｅｙ  ＆  Ｓｏｎ（１９９９）を参照されたい。光学的タグは、安価であるという利点を有するが、読み取るために光学的視準線を必要とする。ＲＦＩＤタグは、全方向の読取りをサポートするという利点があるが、比較的高価である。金属または液体の存在は、ＲＦＩＤタグ性能に激しく干渉して、全方向読取りの利点を損なう可能性がある。受動的（リーダが動力を与える）ＲＦＩＤタグは、２００３年の末までに、数百万単位で１つ当たり１０セントに価格設定されることが見込まれ、その後すぐに５セントになることが見込まれるが、食品雑貨のような低価格品目に対する１セント未満という業界目標にはまだ及ばない。たいていの光学的タグの読取り専用性も、品目が供給連鎖を進行するときの状態変化をタグに記すことができないため、短所として言及されてきた。しかし、読取り専用タグは、ネットワーク上で動的に維持される情報を意味しうるという事実によってこの欠点は緩和される。
【０２８７】
マサチューセッツ工科大学（ＭＩＴ）自動ＩＤセンターは、インターネットベースのオブジェクトネームサービス（ＯＮＳ）および商品マーク付け言語（ＰＭＬ）と連係する９６ビットの電子商品コード（ＥＰＣ）に対する規格を開発した。ＥＰＣは、走査され、または取得されると、ＰＭＬでポータブルに符号化された対応製品情報を、恐らくはＯＮＳを介して調べるのに使用される。ＥＰＣは、８ビットのヘッダ、２８ビットのＥＰＣマネージャ、２４ビットのオブジェクトクラスおよび３６ビットの一連番号からなる。ＥＰＣについての詳細な説明については、その内容が相互参照により本明細書に組み込まれているＢｒｏｃｋ、Ｄ．Ｌ．、Ｔｈｅ  Ｅｌｅｃｔｒｏｎｉｃ  Ｐｒｏｄｕｃｔ  Ｃｏｄｅ（ＥＰＣ）、ＭＩＴ自動ＩＤセンター（２００１年１月）を参照されたい。自動ＩＤセンターは、ＥＰＣへのＧＴＩＮのマッピングを規定して、ＥＰＣと現行の方法との適合性を実証した（その内容が相互参照により本明細書に組み込まれているＢｒｏｃｋ、Ｄ．Ｌ．、Ｉｎｔｅｇｒａｔｉｎｇ  ｔｈｅ  Ｅｌｅｃｔｒｏｎｉｃ  Ｐｒｏｄｕｃｔ  Ｃｏｄｅ（ＥＰＣ）ａｎｄ  ｔｈｅ  Ｇｌｏｂａｌ  Ｔｒａｄｅ  Ｉｔｅｍ  Ｎｕｍｂｅｒ（ＧＴＩＮ）、ＭＩＴ自動ＩＤセンター（２００１年１１月））。ＥＰＣは、ＥＡＮ−ＵＣＣ合弁事業であるＥＰＣｇｌｏｂａｌによって管理されている。
【０２８８】
ＥＰＣは、技術的に中立であり、多くの形態で符号化され、担持されうる。自動ＩＤセンターは、ＥＰＣを担持するのに低コストの受動的ＲＦＩＤタグを使用することを提唱しており、ＲＦＩＤタグのコストを短期間で最小限にすることを可能にするために、ＥＰＣの６４ビットバージョンを規定した。低コストＲＦＩＤタグの特性の詳細な説明については、その内容が相互参照により本明細書に組み込まれているＳａｒｍａ、Ｓ．、Ｔｏｗａｒｄｓ  ｔｈｅ  ５ｃ  Ｔａｇ、ＭＩＴ自動ＩＤセンター（２００１年１１月）を参照されたい。市販の低コストの受動的ＲＦＩＤタグの説明については、その内容が相互参照により本明細書に組み込まれている９１５  ＭＨｚ  ＲＦＩＤ  Ｔａｇ、Ａｌｉｅｎ  Ｔｅｃｈｎｏｌｏｇｙ（２００２）を参照されたい。６４ビットのＥＰＣについては、その内容が相互参照により本明細書に組み込まれているＢｒｏｃｋ、Ｄ．Ｌ．、Ｔｈｅ  Ｃｏｍｐａｃｔ  Ｅｌｅｃｔｒｏｎｉｃ  Ｐｒｏｄｕｃｔ  Ｃｏｄｅ、ＭＩＴ自動ＩＤセンター（２００１年１１月）を参照されたい。
【０２８９】
ＥＰＣは、単に固有の品目レベルのタグ付けおよび追跡だけではなく、ケースレベルおよびパレットレベルのタグ付け、ならびにコンテナおよびトラックなどの出荷および輸送の他の流通単位のタグ付けをも意図している。分散型ＰＭＬデータベースは、品目と、梱包、出荷および輸送階層におけるより高レベルのコンテナとの動的な関係を記録する。
【０２９０】
（４．１  供給連鎖におけるオムニタグ付け）
不可視（例えば赤外）タグ付けスキームを用いて、品目を一意的に識別することは、製品の全表面またはその有意な部分を、製品の包装またはラベルのグラフィックデザインを損なうことなくタグ付けすることを可能にするという大きな利点を有する。製品の全表面がタグ付けされると、製品の走査性がその方向に影響されることがなくなるため、可視バーコードの視準線の欠点の大部分が除かれる。また、タグは小さく、大量に複製されるため、ラベル損傷が走査を妨害することがなくなる。
【０２９１】
次いで、オムニタグ付けは、品目の表面の大部分を光学的に読取り可能な不可視タグで覆うことからなる。各オムニタグは、それが表示される品目を一意的に識別する。オムニタグは、品目の製品コード（例えばＥＰＣ）を直接符号化することができ、または次にデータベース検索を介して製品コードを識別する代理ＩＤを符号化することができる。各オムニタグは、品目の表面のそれ自体の位置をも場合によって識別して、先に述べたネットページ対話性についての下流の消費者の利益を提供する。
【０２９２】
オムニタグは、製品製造中および／または包装中にデジタルプリンタを使用して貼付される。これらは、テキストおよび図形が他の手段によって印刷された後にオムニタグを印刷するアドオン赤外プリンタであってもよく、またはオムニタグ、テキストおよび図形を同時に印刷する統合的なカラーおよび赤外プリンタであってもよい。デジタル印刷されたテキストおよび図形は、ラベルまたは包装にあらゆるものを含んでいてもよく、または可変部のみから構成され、他の部分が他の手段によって印刷されていてもよい。
【０２９３】
（４．２  オムニタグ付け）
図１３に示されるように、製品の固有の品目ＩＤ２１５は、特殊な種類の固有のオブジェクトＩＤ２１０と見なすことできる。電子商品コード（ＥＰＣ）２２０は、品目ＩＤに対する１つの新しい規格である。品目ＩＤは、典型的には、製品ＩＤ２１４および一連番号２１３からなる。製品ＩＤは、製品群を識別するのに対して、一連番号は、その群の特定のインスタンス、すなわち個々の品目を識別する。そこで、製品ＩＤは、典型的には、製造元番号２１１および製品群番号２１２からなる。最もよく知られている製品ＩＤは、ＥＡＮ．ＵＣＣ統一商品コード（ＵＰＣ）２２１およびその変形である。
【０２９４】
図１４に示されるように、オムニタグ２０２は、ページＩＤ（または領域ＩＤ）５０および二次元（２Ｄ）位置８６を符号化する。領域ＩＤは、タグを含む表面領域を識別し、位置は、二次元領域内のタグの位置を識別する。問題の表面は、物理的品目２０１の表面であるため、領域ＩＤと固有オブジェクトＩＤ２１０、より具体的には品目の品目ＩＤ２１５との一対一のマッピングを定めることが有用である。しかし、オムニタグの実用性を損なうことなく、マッピングを多対一とすることができることに留意されたい。例えば、品目の各パネルの包装は、異なる領域ＩＤ５０を有することが可能である。逆に、オムニタグは、品目ＩＤを直接符号化することができ、その場合は、領域ＩＤは、全体的なネットページ領域ＩＤ割当てから品目ＩＤ割当てを分離させるように好適に予め固定された品目ＩＤを含む。領域ＩＤは、世界的ネットページシステム内で識別された他のすべての表面領域から対応する表面領域を一意的に区別することに留意されたい。
【０２９５】
品目ＩＤ２１５は、オムニタグとＥＰＣ担持ＲＦＩＤタグの間の直接的な適合性をもたらすことから、自動ＩＤセンターが提案しているＥＰＣ２２０であることが好ましい。
【０２９６】
図１４において、位置８６がオプションとして示されている。これは、供給連鎖におけるオムニタグの実用性の多くが、領域ＩＤ５０から導かれることを示すものであり、特定の製品に対して望ましくなければ位置を省略してもよい。
【０２９７】
ネットページシステムとの相互操作性については、オムニタグ２０２は、ネットページタグ４である。すなわち、それは、ネットページタグの論理構造、物理的レイアウトおよび意味を有する。
【０２９８】
ネットページペン１０１などのネットページ感知デバイスがオムニタグを撮像・復号するときは、視野におけるタグの位置および方向を用い、これをタグで符号化された位置と組み合わせて、タグに対するそれ自体の位置を算出する。感知デバイスは、ハイパーラベル化表面領域に対して移動するに従って、それによってその領域に対するそれ自体の位置を追跡し、その時間変化経路を表す刻時位置サンプルの集合体を生成することができる。感知デバイスがペンである場合は、経路は、ストロークのシーケンスからなり、各ストロークは、ペンが表面に接触したときに開始し、ペンが表面との接触を解除したときに終了する。
【０２９９】
ストロークが、領域ＩＤを担当するページサーバ１０まで進められると、サーバは、領域ＩＤによって鍵をかけられた領域の記述を検索し、その記述に関してストロークを解釈する。例えば、記述がハイパーリンクを含み、ストロークがハイパーリンクのゾーンと交差する場合は、サーバは、ストロークをハイパーリンクの記述として解釈し、ハイパーリンクを活性化することができる。
【０３００】
（４．３  オムニタグ印刷）
オムニタグプリンタは、製品の製造および／または組立の前、最中または後に製品のラベル、包装または実際の表面にオムニタグを印刷するデジタルプリンタである。これは、ネットページプリンタ６０１の特殊な例である。それは、典型的には近赤外吸収性インクを使用して、オムニタグの連続パターンを表面に印刷することが可能である。高速環境では、そのプリンタは、タグ描画を加速させるハードウェアを含む。これは、典型的には、タグ位置などの可変タグデータのリアルタイムのリードソロモン符号化、およびプリントヘッドのドット解像度における実際のタグパターンのリアルタイムのテンプレートベースの描画を含む。
【０３０１】
プリンタは、テキストおよび図形が他の手段によって印刷された後にオムニタグを印刷するアドオン赤外プリンタであってもよく、またはオムニタグ、テキストおよび図形を同時に印刷する統合的なカラーおよび赤外プリンタであってもよい。デジタル印刷されたテキストおよび図形は、ラベルまたは包装にあらゆるものを含んでいてもよく、または可変部のみから構成され、他の部分が他の手段によって印刷されていてもよい。したがって、赤外およびブラック印刷機能を有するオムニタグプリンタは、従来の熱転写またはインクジェットプリンタなどの可変データ印刷に使用される既存のデジタルプリンタに取って代わることが可能である。
【０３０２】
以下の議論の目的として、品目ラベルへの印刷の言及は、概して品目包装への印刷、または品目表面への直接的な印刷を含むことを意図するものである。また、品目ＩＤ２１５の言及は、領域ＩＤ５０（またはパネル毎の領域ｉｄの集合）、またはその成分を含むことを意図するものである。
【０３０３】
プリンタは、典型的には、プリンタに固定および／または可変テキストおよび図形、ならびにオムニタグに含めるための品目ｉｄを供給するホストコンピュータによって制御される。ホストは、プリンタに対してリアルタイム制御を行うことができ、それによって、印刷が進行しているときにプリンタにリアルタイムでデータを供給する。最適化として、ホストは、印刷が開始する前に固定データを供給し、可変データのみをリアルタイムで供給することができる。プリンタは、ホストにより供給されたパラメータに基づいて、品目毎の可変データを生成することが可能であってもよい。例えば、ホストは、印刷前に、プリンタに基本品目ＩＤを供給することができ、プリンタは、基本品目ＩＤを単にインクリメントして、連続的な品目ｉｄを生成することができる。あるいは、インクカートリッジのメモリ、またはプリンタに挿入された他の記憶媒体が、固有品目ｉｄの源を供給することができ、その場合は、プリンタは、品目ｉｄの割当てをホストコンピュータに報告し、ホストによって記録される。
【０３０４】
あるいは、固有ＩＤが、前の製造工程中に何らかの形態でラベルに貼付されたと仮定すると、プリンタは、オムニタグが印刷されているラベルから予め存在する品目ＩＤを読み取ることが可能であってもよい。例えば、品目ＩＤは、可視２Ｄバーコードの形態で既に存在していてもよいし、ＲＦＩＤタグで符号化されてもよい。前者の場合は、プリンタは、光バーコードスキャナを含むことができる。後者の場合は、ＲＦＩＤリーダを含むことができる。
【０３０５】
プリンタは、他の形態で品目ＩＤを描画することが可能であってもよい。例えば、２Ｄバーコードの形態で品目ＩＤを印刷することが可能であってもよく、１Ｄバーコードの形態で品目ＩＤの製品ＩＤ成分を印刷することが可能であってもよく、または品目ＩＤを書き込み可能にもしくはｗｒｉｔｅ−ｏｎｃｅＲＦＩＤタグに書き込むことが可能であってもよい。
【０３０６】
（４．４  オムニタグ走査）
品目情報は、例えば、品目が出荷に際して在庫目録に走査されるとき、品目が小売店の棚に配置されているとき、および品目が販売時点で走査されるときに、典型的には、存在する走査事象に応答して製品サーバに流れる。ネットページペンで採用したのと同様または同一の技術を用い、レーザベースの２Ｄ走査および２Ｄ画像センサベースのスキャナの両方を使用して、オムニタグ付け品目を走査するのに固定およびハンドヘルドスキャナの両方を使用することができる。
【０３０７】
図１６に示されるように、固定スキャナ２５４およびハンドヘルドスキャナ２５２は、いずれも走査データを製品サーバ２５１に伝達する。製品サーバは、次に、品目事象データを、関連する製品サーバとのデータの共用を実現することができる同位の製品サーバ（不図示）または製品アプリケーションサーバ２５０に伝達することができる。例えば、小売店内の在庫の動きを小売店の製品サーバ上に局所的に記録することができるが、品目が販売されると、製造元の製品サーバに通知することができる。
【０３０８】
（４．５  オムニタグベースのネットページ対話）
そのラベル、包装または実際の表面がオムニタグ付けされた製品は、他のネットページと同レベルの対話性を与える。
【０３０９】
ネットページ適合性製品タグ付けに対して有望な事例が得られる。ネットページは、任意の印刷表面を、ウェブページに類似した細かく分化されたグラフィカルユーザインターフェースに変え、製品の表面に見事にマッピングされる多くのアプリケーションが存在する。これらのアプリケーションは、様々な種類の製品情報（栄養情報、料理情報、レシピ、関連製品、使用期限、使用説明、リコール通知）を得ること、ゲームを行うこと、コンペに参加すること、所有権を管理すること（登録、商品が盗まれた場合等の問合せ、移転）、製品フィードバックを提供すること、メッセージを送ること、および間接的なデバイス制御を含む。一方、製品タグ付けが、未分化２ＤバーコードまたはＲＦＩＤ担持品目ＩＤの場合のように、未分化である場合は、情報ナビゲーションの負担は、ユーザ経験の複雑さ、または配信デバイスユーザインターフェースの精巧化の必要性を有意に高めうる情報配信デバイスに移される。
【０３１０】
次に、以下の実施例を参照しながら本発明を説明する。しかし、添付の請求項の範囲に定められる本発明の範囲を逸脱することなく、多くの他の形態で本発明を具現化できることが当然理解されるであろう。
【実施例】
【０３１１】
（実施例１）
ヒドロキシガリウムナフタロシアニンテトラスルホン酸２およびその対応するトリエチルアンモニウム塩３をスキーム１に示された手順に従って調製した。
【０３１２】
【化９】
2008509257.tif 000011
【０３１３】
＜ａ）１，２−ジ（ナフタロシアニナトガリウムオキソ）エタン（ＮｃＧａＯＣＨ２ＣＨ２ＯＧａＮｃ）１＞
塩化ガリウム（０．７３５ｇ；４．１８ｍｍｏｌ）を無水トルエン（５ｍＬ）に溶解させた溶液を氷浴で冷却し、撹拌しながらナトリウムメトキシドで一滴ずつ処理した。次いで、反応混合物を冷却しながら、エチレングリコール（５ｍＬ）を徐々に添加した。１０分間撹拌した後に、ナフタレン−１，２−ジカルボニトリル（２．９８ｇ；１６．７ｍｍｏｌ）を固体として速やかに添加し、得られたスラリーを最初に加熱して、トルエンおよびメタノールを留去した。これに続いて、浴槽温度を１９０〜１９５度に上昇させて、シクロ四量体化を生じさせた。反応混合物をこの温度に２．５時間にわたって維持し、次いで室温まで冷却させた。得られた緑色／褐色スラリーを無水エタノール（１０ｍＬ）で希釈し、微細固体を濾過し、エタノール、クロロホルム、ジエチルエーテル、メタノール、水、アセトンおよびジエチルエーテルで順次十分に洗浄した。高真空下で乾燥した後に、二量体１を緑色粉末（２．２５ｇ；６６％）（λｍａｘ（ＮＭＰ）７７８ｎｍ）として得た。ＮＭＰ中の二量体１の吸収スペクトルを図２６に示す。
【０３１４】
＜ｂ）ヒドロキシガリウムナフタロシアニンテトラスルホン酸（ＨＯＳＯ２）４ＮｃＧａＯＨ２＞
ガリウム二量体１（１０４ｍｇ；０．０６４ｍｍｏｌ）をオレウム（２ｍＬ）で６０〜６５℃にて１時間処理した。得られた紫色の混合物をクロロホルム（２ｍＬ）およびエーテル（１ｍＬ）で希釈し、撹拌しながら氷冷エーテル（１５ｍＬ）に移した。反応フラスコをクロロホルム（２ｍＬ）およびエーテル（１ｍＬ）で洗浄した後に、クロロホルム（１ｍＬ）およびエーテル（１ｍＬ）で洗浄し、合わせた洗浄液を上記混合物に移した。スルホン酸の沈殿を完了させるためにさらなるエーテル（１５ｍＬ）を添加し、次いで微細固体を濾過し、エーテル、次いでクロロホルム／エーテル（４：６）で洗浄した。残留溶媒を高真空下で除去して、水に容易に溶解する赤色／黒色の弱吸湿性粉末（１７４ｍｇ）としてのテトラスルホン酸２（λｍａｘ（ＤＭＳＯ）７９５ｎｍ）を与えた。テトラスルホン酸２の吸収スペクトルを図２７に示す。
【０３１５】
＜ｃ）スルホン酸トリエチルアンモニウム塩３の形成＞
ヒドロキシガリウムナフタロシアニンテトラスルホン酸２（０．５７２ｇ；０．５１１ｍｍｏｌ）をメタノール（１５ｍＬ）に懸濁させた懸濁液をトリエチルアミン（０．５ｍＬ；３．６ｍｍｏｌ；７当量）で処理して、緑色溶液を生成させた。反応混合物を室温にて一晩撹拌し、溶媒を高真空下で除去した。油状の緑色残留物をエーテル（１０ｍＬ）で粉砕し、エーテルをデカントし、その処理を無水エタノール（１０ｍＬ）で繰り返して、微細であるが濾過可能な固体を与えた。素の固体を重力により濾過し、エーテル／エタノール（１：１、１０ｍＬ）で洗浄し、次いで減圧下でエーテル（２×１０ｍＬ）により洗浄した。高真空下で乾燥させて、濃緑色の固体としての塩３（３１１ｍｇ；４３％）（λｍａｘ（ＤＭＳＯ）７９５ｎｍ）を得た。トリエチルアンモニウム塩３の吸収スペクトルを図２８に示す。
【０３１６】
（実施例２）
ヒドロキシガリウムナフタロシアニンテトラスルホンアミド５をスキーム２に示される手順に従って調製した。
【０３１７】
【化１０】
2008509257.tif 000012
【０３１８】
＜ａ）塩化ヒドロキシガリウムナフタロシアニンテトラスルホニル（ＣｌＳＯ２）４ＮｃＧａＯＨ４＞
実施例１によるヒドロキシガリウムナフタロシアニンテトラスルホン酸２（３７４ｍｇ；０．３３４ｍｍｏｌ）を、２滴のＤＭＦを含む塩化チオニル（３ｍＬ）に懸濁させた。窒素を徐々に流しながら反応混合物を６０〜７０℃（浴槽）にて２時間加熱すると、その後に、混合物が均一で濃緑色になった。室温まで冷却した後に、得られた溶液をクロロホルム（５ｍＬ）およびエーテル（５０ｍＬ）で希釈して、生成物を沈殿させた。上澄み液をデカントし、固体をエーテル（５０ｍｌ）に懸濁させ、濾去し、エーテル（３×１０ｍＬ）で洗浄した。高真空下で乾燥させた後に、水に不溶の黒色固体としての塩化スルホニル４（３６０ｍｇ；９０％）（λｍａｘ（ＤＭＳＯ）８０３ｎｍ）を得た。塩化スルホニル４の吸収スペクトルを図２９に示す。
【０３１９】
＜ｂ）２−（２−アミノエトキシ）エタノールからのスルホンアミド／アンモニウムスルホン酸塩５の形成＞
塩化スルホニル４（３５７ｍｇ；０．２９９ｍｍｏｌ）を、氷浴で冷却しながら、窒素下で、ピリジン（５ｍＬ）、水（０．５ｍＬ）および２−（２−アミノエトキシ）エタノール（１８１μＬ、１．７９ｍｍｏｌ、６当量）で順次処理した。添加後に、均一の緑色溶液を室温にて２時間撹拌し、次いで７０℃に加熱しながら高真空下でピリジンを蒸発除去した。粘着性の残渣を加温しながらエタノール（１０ｍＬ）で希釈し、次いでエーテル（１０ｍＬ）を添加して、生成物を沈殿させた。混合物を２０分間撹拌し、次いで上澄み液を除去した。残留する固体をエーテル（１５ｍＬ）で１０分間にわたって粉砕し、次いでエーテルを除去した。これを繰り返し、次いで生成物を濾過し、高真空下で乾燥させた。オリーブグリーンの固体としてのスルホンアミド／スルホン酸塩５（３６６ｍｇ）（λｍａｘ（ＤＭＳＯ）７９８ｎｍ）を得た。スルホンアミド／スルホン酸塩５の吸収スペクトルを図３０に示す。
【０３２０】
（耐光性の実験）
上記の手順に従って調製したガリウムナフタロシアニンをインクジェットインクに調合し、印刷し、耐光性について試験した。
【０３２１】
耐光性試験装置を図３１に示す。光源は、Ｏｓｒａｍ２５０Ｗハロゲン化金属ランプ（ＨＱＩ−ＥＰ  ２５０Ｗ／Ｄ  Ｅ４０）である。この光源の色温度は６０００Ｋであり、演色評価数は９０％を上回る。電球の輝度は１７０００ルーメンで、約７００００ルクスの光輝度を提供し、電球から９．０ｃｍ離れて位置するサンプルを照明する。
【０３２２】
実施例１および２による染料を様々な濃度で使用して、インク調合物を調製した。基本的なインク調合物を表１に示す。
【０３２３】
【表１】
2008509257.tif 000013
【０３２４】
表１に従って調製されたＩＲインク調合物を許容するように改造された黒色インクカートリッジを有するＥｐｓｏｎ  Ｃ６１プリンタを使用して、インクを印刷した。Ｅｐｓｏｎ  Ｃ６１プリンタは、異なる染料濃度で各インクサンプルの単一帯を印刷した。Ｖａｒｉａｎ  Ｃａｒｙ  ５０分光光度計を使用して、各サンプルの反射スペクトルを収集した。
【０３２５】
耐光性の業界標準測定値は、典型的な屋内照明条件下でサンプルが３０％退色するのに要する時間である。典型的な屋内照明条件は、一日１０時間にわたる５００ルクスの照明輝度下での照明と定められる。
【０３２６】
該装置は、加速されたオフィス照明条件をシミュレートするように設計されている。これらの加速照明条件下では、インクサンプルの耐光性は以下のように定められる。
【０３２７】
耐光性＝３０％退色するのに要する時間×（７００００ルクス／５００ルクス）×（２４時間／１０時間）＝３０％退色するのに要する時間×３３６
【０３２８】
サンプルの雰囲気温度は、２５℃であり、相対湿度は約６０％であった。
【０３２９】
（比較例１）
新規のＩＲインク調合物の耐光性のための基準設定を提供するために、Ｅｐｓｏｎ黒色インク（Ｅｐｓｏｎ  Ｂｌａｃｋ  ８９０）を耐光性について試験した。Ｅｐｓｏｎ  Ｂｌａｃｋ  ８９０をマットペーパヘビーウェイト（Ｒｅｆｌｅｘ  Ｕｎｉｊｅｔ  １４３  ｇｓｍペーパ）に印刷し、試験装置に配置し、その反射スペクトルを定期的に測定した。反射スペクトルを図３２に示す。Ｅｐｓｏｎ  Ｂｌａｃｋ  ８９０インクは、２７年の耐光性を有することが推定され、これは、このインクにアイする好評耐光性データ（＞２０年）とよく一致している。
【０３３０】
概して、市販インクについては、５年を上回る耐光性が許容されるものと考えられる。
【０３３１】
（実施例３）
実施例１で調製したヒドロキシガリウムナフタロシアニンテトラスルホン酸２を、上記の手順に従って、Ｒｅｆｌｅｘ  Ｕｎｉｊｅｔ  １４３  ｇｓｍペーパにて耐光性について試験した。染料濃度が２．２４ｍＭ、４．４９ｍＭおよび７．４６ｍＭの調合物で染料を試験した。各染料濃度に対して経時的に測定した反射スペクトルを図３３から３５に示す。
【０３３２】
これらのデータから、以下の耐光性値が推定された。
【０３３３】
（ヒドロキシガリウムナフタロシアニンテトラスルホン酸２：）
２．２４ｍＭ：  ３９年；
４．４９ｍＭ：  ３９年；
７．４６ｍＭ：  ９２年；
【０３３４】
すべての耐光性値が、許容される工業標準値を十分に上回っていた。染料の濃度が７．４６ｍＭまで増加したときに、耐光性の著しい増加が観察された。
【０３３５】
（実施例４）
実施例１で調製したヒドロキシガリウムナフタロシアニンテトラスルホン酸トリエチルアンモニウム塩３を、上記の手順に従って、Ｒｅｆｌｅｘ  Ｕｎｉｊｅｔ  １４３  ｇｓｍペーパにて耐光性について試験した。染料濃度が３．０ｍＭのインク調合物で染料を試験した。経時的に測定した反射スペクトルを図３６に示す。
【０３３６】
これらのデータから、３．０ｍＭの濃度における染料３の耐光性は、許容される工業標準値を十分に上回る３５年と推定された。
実施例５
【０３３７】
実施例２で調製したスルホンアミド５の２つの個別のバッチを、上記の手順に従って、Ｒｅｆｌｅｘ  Ｕｎｉｊｅｔ  １４３  ｇｓｍペーパにて耐光性について試験した。いずれのバッチも染料濃度が３．０ｍＭのインク調合物として調合された。「バッチ１」および「バッチ２」に対する反射スペクトルを図３７および３９に示す。
【０３３８】
これらのデータから、以下の耐光性値が推定された。
【０３３９】
（スルホンアミド５：）
バッチ１、３．０ｍＭ：  １９年；
バッチ２、３．０ｍＭ：  ２１年；
【０３４０】
結論として、本発明のガリウムナフタロシアニンは、ネットページおよびＨｙｐｅｒｌａｂｅｌ（商標）システムに使用される優れた染料である。これらの染料は、７８０〜８５０ｎｍの所望の窓における近赤外吸収、インクジェットインク調合物に対する良好な溶解性、無視できる程度か、または低い可視性、および優れた耐光性を示す。さらに、これらの染料を高収率で、好適で、効率的な合成で調製することが可能である。
【図面の簡単な説明】
【０３４１】
【図１】サンプル印刷ネットページとそのオンラインページ記述との関係の概略図である。
【図２】ネットページペンと、ウェブ端末と、ネットページプリンタと、ネットページ中継器と、ネットページサーバと、ネットページアプリケーションサーバと、ウェブサーバの対話の概略図である。
【図３】ネットワークを介して接続されたネットページサーバ、ウェブ端末および中継器の集合を示す図である。
【図４】印刷ネットページおよびそのオンラインページ記述の高レベル構造の概略図である。
【図５ａ】タグの４つのコードワードの符号のインターリーブおよび回転を示す平面図である。
【図５ｂ】図５ａに示されるタグに対するマクロドットレイアウトを示す平面図である。
【図５ｃ】目標が、隣り合うタグ間で共用される、図５ａおよび図５ｂに示されるタグのうちの９つの配置を示す平面図である。
【図５ｄ】図５ａに示されるタグの集合体と、ネットページペンの形態のネットページ感知デバイスの視野との関係を示す平面図である。
【図６】ネットページペン、およびそれに伴うタグ感知視野円錐体の斜視図である。
【図７】図６に示されるネットページペンの斜視分解図である。
【図８】図６および７に示されるネットページペンに対するペンコントローラの概略構成図である。
【図９】壁掛け式ネットページプリンタの斜視図である。
【図１０】図９のネットページプリンタの長さに沿う断面図である。
【図１０ａ】二重印刷エンジンおよび接着剤ホイール組立品ノブ分を示す図１０の拡大部分である。
【図１１】インクカートリッジ、インク、空気および接着剤経路、ならびに図９および１０のネットページプリンタの印刷エンジンの詳細図である。
【図１２】インクカートリッジの分解図である。
【図１３】品目ＩＤの構造の概略図である。
【図１４】全タグの構造の概略図である。
【図１５】ペンクラスダイアグラムの概略図である。
【図１６】品目と、固定製品スキャナと、携帯式製品スキャナと、スキャナ中継器と、製品サーバと、製品アプリケーションサーバの対話の概略図である。
【図１７】バイリシックプリントヘッドの斜視図である。
【図１８】図１７のバイリシックプリントヘッドの分解斜視図である。
【図１９】図１７のバイリシックプリントヘッドの一端に沿う断面図である。
【図２０】図１７のバイリシックプリントヘッドに沿う縦方向断面図である。
【図２１（ａ）】図１７のバイリシックプリントヘッドの側面図、平面図、反対側側面図および裏側平面図を示す図である。
【図２１（ｂ）】図１７のバイリシックプリントヘッドの側面図、平面図、反対側側面図および裏側平面図を示す図である。
【図２１（ｃ）】図１７のバイリシックプリントヘッドの側面図、平面図、反対側側面図および裏側平面図を示す図である。
【図２１（ｄ）】図１７のバイリシックプリントヘッドの側面図、平面図、反対側側面図および裏側平面図を示す図である。
【図２２（ａ）】熱屈曲アクチュエータの基本動作原理を示す図である。
【図２２（ｂ）】熱屈曲アクチュエータの基本動作原理を示す図である。
【図２２（ｃ）】熱屈曲アクチュエータの基本動作原理を示す図である。
【図２３】図２２に従って構成された単一インクジェットノズル機構の立体図である。
【図２４】図２３に示されるノズル機構のアレイを示す図である。
【図２５】バブル成形ヒータ素子アクチュエータの単位セルのインクチャンバに沿う概略断面図である。
【図２６】図２６は、ＮＭＰ中の１，２−ジ（ナフタロシアニナトガリウムオキソ）エタン（ＮｃＧａＯＣＨ２ＣＨ２ＯＧａＮｃ）に対する吸収スペクトルを示す図である。
【図２７】ＤＭＳＯ中のヒドロキシガリウムナフタロシアニンテトラスルホン酸に対する吸収スペクトルを示す図である。
【図２８】ＤＭＳＯ中のヒドロキシガリウムナフタロシアニンテトラスルホン酸テトラ（トリエチルアンモニウム）塩に対する吸収スペクトルを示す図である。
【図２９】ＤＭＳＯ中の塩化ヒドロキシガリウムナフタロシアニンテトラスルホニル（ＣｌＳＯ２）４ＮｃＧａＯＨに対する吸収スペクトルを示す図である。
【図３０】実施例２によるＤＭＳＯ中のスルホンアミド５に対する吸収スペクトルを示す図である。
【図３１】耐光性試験装置を示す図である。
【図３２】エプソンブラック８９０に対する反射スペクトルを示す図である。
【図３３】２．２４ｍＭの染料濃度にて実施例１で調製したヒドロキシガリウムナフタロシアニンを含むインクジェットに対する反射スペクトルを示す図である。
【図３４】４．４９ｍＭの染料濃度にて実施例１で調製したヒドロキシガリウムナフタロシアニンを含むインクジェットに対する反射スペクトルを示す図である。
【図３５】７．４６ｍＭの染料濃度にて実施例１で調製したヒドロキシガリウムナフタロシアニンを含むインクジェットに対する反射スペクトルを示す図である。
【図３６】３．０ｍＭの染料濃度にて実施例１で調製したヒドロキシガリウムナフタロシアニンを含むインクジェットに対する反射スペクトルを示す図である。
【図３７】３．０ｍＭの染料濃度にて実施例２で調製したヒドロキシガリウムナフタロシアニンを含むインクジェットに対する反射スペクトルを示す図である。
【図３８】３．０ｍＭの染料濃度にて実施例２で調製したヒドロキシガリウムナフタロシアニンを含むインクジェットに対する反射スペクトルを示す図である。
【図１】
2008509257.tif 000018
【図２】
2008509257.tif 000019
【図３】
2008509257.tif 000020
【図４】
2008509257.tif 000021
【図５ａ】
2008509257.tif 000022
【図５ｂ】
2008509257.tif 000023
【図５ｃ】
2008509257.tif 000024
【図５ｄ】
2008509257.tif 000025
【図６】
2008509257.tif 000026
【図７】
2008509257.tif 000027
【図８】
2008509257.tif 000028
【図９】
2008509257.tif 000029
【図１０】
2008509257.tif 000030
【図１０ａ】
2008509257.tif 000031
【図１１】
2008509257.tif 000032
【図１２】
2008509257.tif 000033
【図１３】
2008509257.tif 000034
【図１４】
2008509257.tif 000035
【図１５】
2008509257.tif 000036
【図１６】
2008509257.tif 000037
【図１７】
2008509257.tif 000038
【図１８】
2008509257.tif 000039
【図１９】
2008509257.tif 000040
【図２０】
2008509257.tif 000041
【図２１（ａ）】
2008509257.tif 000042
【図２１（ｂ）】
2008509257.tif 000043
【図２１（ｃ）】
2008509257.tif 000044
【図２１（ｄ）】
2008509257.tif 000045
【図２２（ａ）】
2008509257.tif 000046
【図２２（ｂ）】
2008509257.tif 000047
【図２２（ｃ）】
2008509257.tif 000048
【図２３】
2008509257.tif 000049
【図２４】
2008509257.tif 000050
【図２５】
2008509257.tif 000051
【図２６】
2008509257.tif 000052
【図２７】
2008509257.tif 000053
【図２８】
2008509257.tif 000054
【図２９】
2008509257.tif 000055
【図３０】
2008509257.tif 000056
【図３１】
2008509257.tif 000057
【図３２】
2008509257.tif 000058
【図３３】
2008509257.tif 000059
【図３４】
2008509257.tif 000060
【図３５】
2008509257.tif 000061
【図３６】
2008509257.tif 000062
【図３７】
2008509257.tif 000063
【図３８】
2008509257.tif 000064
【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
式（Ｉ）のＩＲ吸収ナフタロシアニン染料
【化１】
2008509257.tif 000065
（式中、
Ｍは、Ｇａ（Ａ１）であり、
Ａ１は、−ＯＨ、ハロゲン、−ＯＲ３、−ＯＣ（Ｏ）Ｒ４、親水性リガンド、および／または共面相互作用を低減するのに好適なリガンドから選択される軸配位子であり、
Ｒ１およびＲ２は、同一であっても異なっていてもよく、水素またはＣ１〜Ｃ１２アルコキシから選択され、
Ｒ３は、Ｃ１〜Ｃ１２アルキル、Ｃ５〜Ｃ１２アリール、Ｃ５〜Ｃ１２アリールアルキルまたはＳｉ（Ｒｘ）（Ｒｙ）（Ｒｚ）から選択され、
Ｒ４は、Ｃ１〜Ｃ１２アルキル、Ｃ５〜Ｃ１２アリールまたはＣ５〜Ｃ１２アリールアルキルから選択され、
Ｒｘ、ＲｙおよびＲｚは、同一であっても異なっていてもよく、Ｃ１〜Ｃ１２アルキル、Ｃ５〜Ｃ１２アリール、Ｃ５〜Ｃ１２アリールアルキル、Ｃ１〜Ｃ１２アルコキシ、Ｃ５〜Ｃ１２アリールオキシまたはＣ５〜Ｃ１２アリールアルコキシから選択され、
Ｗは、親水基であり、
ｎ１は、０、１、２または３であり、
ｎ２は、０、１、２または３であり、
ｎ３は、０、１、２または３であり、
ｎ４は、０、１、２または３である（但し、ｎ１、ｎ２、ｎ３またはｎ４の少なくとも１つは０より大きい））。
【請求項２】
Ｗ基の各々が、酸基（その塩を含む）を含む置換基、アンモニウム基を含む置換基、親水性ポリマー鎖を含む置換基、またはスルホンアミド基を含む置換基から独立に選択される請求項１に記載の染料。
【請求項３】
各Ｗ基は、スルホンアミド基、−ＳＯ３Ｈまたは−ＳＯ３Ｚから独立に選択され、Ｚは、Ｌｉ、Ｎａ、ＫまたはＮ＋（Ｒｍ）（Ｒｎ）（Ｒｓ）（Ｒｔ）であり、Ｒｍ、Ｒｎ、Ｒｓ、Ｒｔは、同一であっても異なっていてもよく、Ｈ、Ｃ１〜Ｃ８アルキル、Ｃ６〜Ｃ１２アリールアルキルまたはＣ６〜Ｃ１２アリールから独立に選択される請求項１に記載の染料。
【請求項４】
スルホンアミド基は、式−ＳＯ２ＮＲｐＲｑで表され、ＲｐおよびＲｑは、Ｈ、Ｃ１〜Ｃ８アルキル、Ｃ６〜Ｃ１２アリールアルキル、Ｃ６〜Ｃ１２アリールまたは−（ＣＨ２ＣＨ２Ｏ）ｅＲｅから独立に選択され、ｅは、２から５０００の整数であり、Ｒｅは、Ｈ、Ｃ１〜Ｃ８アルキルまたはＣ（Ｏ）Ｃ１〜Ｃ８アルキルである請求項３に記載の染料。
【請求項５】
スルホンアミド基は、式−ＳＯ２ＮＨＲｐで表され、Ｒｐは、式（Ｖ）で表される請求項３に記載の染料
【化２】
2008509257.tif 000066
（式中、
Ｒｊは、Ｈ、Ｃ１〜Ｃ１２アルコキシまたは−（ＯＣＨ２ＣＨ２）ｄＯＲｄであり、
ｄは、２から５０００の整数であり、
Ｒｄは、Ｈ、Ｃ１〜Ｃ８アルキルまたはＣ（Ｏ）Ｃ１〜Ｃ８アルキルである）。
【請求項６】
Ｒ１およびＲ２は、ともにＨである請求項１に記載の染料。
【請求項７】
Ｍは、Ｇａ（ＯＨ）、Ｇａ（Ｃｌ）、Ｇａ（ＯＣ（Ｏ）Ｒ４）、Ｇａ（ＯＲ３）またはＧａ（ＯＷ）であり、Ｗは、請求項１〜５のいずれか一項に記載の通りである請求項１に記載の染料。
【請求項８】
Ｍは、Ｇａ（ＯＨ）である請求項１に記載の染料。
【請求項９】
請求項１〜８のいずれか一項に記載の染料を含む印刷インク。
【請求項１０】
請求項１〜８のいずれか一項に記載の染料が配置された基体。
【請求項１１】
請求項９に記載の印刷インクが配置された基体。
【国際調査報告】
2008509257.tif 000067
2008509257.tif 000068
2008509257.tif 000069